(57)【要約】【課題】電力需要施設における電力消費を管理するとともに、電力系統側において電力需給の管理を良好に行うことが可能な電力消費管理装置、電力消費管理システム、系統側管理装置、電力消費管理方法および電力消費管理プログラムを提供する。【解決手段】電力需要施設における電力消費を管理する電力消費管理装置であって、電力系統側から電力消費の目標を示す目標情報を取得する目標情報取得部と、前記電力需要施設における前記目標の達成に関する判断を行なう判断部と、前記目標に対する前記電力需要施設における電力消費の抑制を予測した内容を示す予測抑制情報を取得する予測抑制情報取得部と、前記判断部の判断結果を示す判断情報、および前記予測抑制情報を前記電力系統側に通知する応答部とを備える。【選択図】図７
2015216759.tif 000002
【特許請求の範囲】
【請求項１】
電力需要施設における電力消費を管理する電力消費管理装置であって、
電力系統側から電力消費の目標を示す目標情報を取得する目標情報取得部と、
前記電力需要施設における前記目標の達成に関する判断を行なう判断部と、
前記目標に対する前記電力需要施設における電力消費の抑制を予測した内容を示す予測抑制情報を取得する予測抑制情報取得部と、
前記判断部の判断結果を示す判断情報、および前記予測抑制情報を前記電力系統側に通知する応答部とを備える、電力消費管理装置。
【請求項２】
前記電力消費管理装置は、さらに、
前記目標情報に基づいて、前記電力需要施設における電力消費に関する指示情報を前記電力需要施設に通知する指示部と、
前記指示情報に対する応答情報を前記電力需要施設から取得する応答情報取得部とを備え、
前記判断部は、前記応答情報に基づいて前記判断を行い、
前記電力消費管理装置は、さらに、
前記応答情報が取得される前に、前記電力需要施設における前記目標の達成に関する判断を行なうプレ判断部を備え、
前記応答部は、前記プレ判断部の判断結果を示すプレ判断情報を前記電力系統側に通知可能である、請求項１に記載の電力消費管理装置。
【請求項３】
前記応答部は、前記プレ判断情報とともに前記予測抑制情報を前記電力系統側に通知可能である、請求項２に記載の電力消費管理装置。
【請求項４】
前記予測抑制情報取得部は、前記応答情報に基づいて前記予測抑制情報を算出し、
前記応答部は、前記判断情報とともに、算出された前記予測抑制情報を前記電力系統側に通知する、請求項２または請求項３に記載の電力消費管理装置。
【請求項５】
前記電力消費管理装置は、さらに、
前記電力系統側から電力消費の抑制についての価値を示すインセンティブ情報を取得するインセンティブ情報取得部を備え、
前記プレ判断部は、前記インセンティブ情報に基づいて、前記電力需要施設における前記目標の達成に関する判断を行なう、請求項２から請求項４のいずれか１項に記載の電力消費管理装置。
【請求項６】
電力需要施設における電力消費を管理する電力消費管理装置であって、
電力系統側から電力消費の目標を示す目標情報を取得する目標情報取得部と、
前記電力需要施設における前記目標の達成に関する判断を行なう判断部と、
前記判断部の判断結果を示す判断情報を前記電力系統側に通知する応答部と、
前記目標情報に基づいて、前記電力需要施設における電力消費に関する指示情報を前記電力需要施設に通知する指示部と、
前記指示情報に対する応答情報を前記電力需要施設から取得する応答情報取得部とを備え、
前記判断部は、前記応答情報に基づいて前記判断を行い、
前記電力消費管理装置は、さらに、
前記応答情報が取得される前に、前記電力需要施設における前記目標の達成に関する判断を行なうプレ判断部を備え、
前記応答部は、前記プレ判断部の判断結果を示すプレ判断情報を前記電力系統側に通知可能である、電力消費管理装置。
【請求項７】
電力需要施設における電力消費を管理する電力消費管理装置と、
系統側管理装置とを備え、
前記系統側管理装置は、電力消費の目標を示す目標情報および電力消費の抑制についての価値を示すインセンティブ情報を前記電力消費管理装置へ送信し、
前記電力消費管理装置は、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信し、
前記系統側管理装置は、前記電力消費管理装置から前記判断情報を受信して、送信した前記目標情報および前記インセンティブ情報の少なくともいずれか一方の内容を変更し、変更後の情報を前記電力消費管理装置へ送信する、電力消費管理システム。
【請求項８】
前記電力消費管理装置は、前記目標に対する前記電力需要施設における電力消費の抑制を予測した内容を示す予測抑制情報、および前記判断情報を前記系統側管理装置へ送信し、
前記系統側管理装置は、前記電力消費管理装置から前記判断情報および前記予測抑制情報を受信して、前記予測抑制情報に基づいて、送信した前記目標情報および前記インセンティブ情報の少なくともいずれか一方の内容を変更する、請求項７に記載の電力消費管理システム。
【請求項９】
電力需要施設における電力消費を管理する電力消費管理装置と通信可能な系統側管理装置であって、
電力消費の目標を示す目標情報を取得する目標情報取得部と、
電力消費の抑制についての価値を示すインセンティブ情報を取得するインセンティブ情報取得部と、
前記目標情報および前記インセンティブ情報を前記電力消費管理装置に通知する通知部と、
前記電力需要施設における前記目標の達成に関する判断の結果を示す判断情報を前記電力消費管理装置から取得する判断情報取得部と、
前記電力需要施設において前記目標が達成できない旨を示す前記判断情報が取得された場合、前記通知部によって通知された前記目標情報および前記インセンティブ情報の少なくともいずれか一方の内容を変更する情報処理部とを備え、
前記通知部は、前記情報処理部によって変更された情報を前記電力消費管理装置に通知する、系統側管理装置。
【請求項１０】
前記系統側管理装置は、さらに、
前記目標に対する前記電力需要施設における電力消費の抑制を予測した内容を示す予測抑制情報を取得する予測抑制情報取得部を備え、
前記情報処理部は、前記目標が達成できない旨を示す前記判断情報、および前記予測抑制情報が取得された場合、前記予測抑制情報に基づいて、前記通知部によって通知された前記目標情報および前記インセンティブ情報の少なくともいずれか一方の内容を変更する、請求項９に記載の系統側管理装置。
【請求項１１】
電力需要施設における電力消費を管理する電力消費管理装置における電力消費管理方法であって、
電力系統側から電力消費の目標を示す目標情報を取得するステップと、
前記電力需要施設における前記目標の達成に関する判断を行なうステップと、
前記目標に対する前記電力需要施設における電力消費の抑制を予測した内容を示す予測抑制情報を取得するステップと、
前記判断の結果を示す判断情報、および前記予測抑制情報を前記電力系統側に通知するステップとを含む、電力消費管理方法。
【請求項１２】
電力需要施設における電力消費を管理する電力消費管理装置と、系統側管理装置とを備える電力消費管理システムにおける電力消費管理方法であって、
前記系統側管理装置が、電力消費の目標を示す目標情報および電力消費の抑制についての価値を示すインセンティブ情報を前記電力消費管理装置へ送信するステップと、
前記電力消費管理装置が、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信するステップと、
前記系統側管理装置が、前記電力消費管理装置から前記判断情報を受信して、送信した前記目標情報および前記インセンティブ情報の少なくともいずれか一方の内容を変更し、変更後の情報を前記電力消費管理装置へ送信するステップとを含む、電力消費管理方法。
【請求項１３】
電力需要施設における電力消費を管理する電力消費管理装置と通信可能な系統側管理装置における電力消費管理方法であって、
電力消費の目標を示す目標情報および電力消費の抑制についての価値を示すインセンティブ情報を取得するステップと、
取得した前記目標情報および前記インセンティブ情報を前記電力消費管理装置に通知するステップと、
前記電力需要施設において前記目標が達成できない旨を示す判断情報を前記電力消費管理装置から取得した場合、通知した前記目標情報および前記インセンティブ情報の少なくともいずれか一方の内容を変更するステップと、
変更した情報を前記電力消費管理装置に通知するステップとを含む、電力消費管理方法。
【請求項１４】
電力需要施設における電力消費を管理する電力消費管理装置において用いられる電力消費管理プログラムであって、コンピュータに、
電力系統側から電力消費の目標を示す目標情報を取得するステップと、
前記電力需要施設における前記目標の達成に関する判断を行なうステップと、
前記目標に対する前記電力需要施設における電力消費の抑制を予測した内容を示す予測抑制情報を取得するステップと、
前記判断の結果を示す判断情報、および前記予測抑制情報を前記電力系統側に通知するステップとを実行させるための、電力消費管理プログラム。
【請求項１５】
電力需要施設における電力消費を管理する電力消費管理装置と、系統側管理装置とを備える電力消費管理システムにおいて用いられる電力消費管理プログラムであって、コンピュータに、
前記系統側管理装置が、電力消費の目標を示す目標情報および電力消費の抑制についての価値を示すインセンティブ情報を前記電力消費管理装置へ送信するステップと、
前記電力消費管理装置が、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信するステップと、
前記系統側管理装置が、前記電力消費管理装置から前記判断情報を受信して、送信した前記目標情報および前記インセンティブ情報の少なくともいずれか一方の内容を変更し、変更後の情報を前記電力消費管理装置へ送信するステップとを実行させるための、電力消費管理プログラム。
【請求項１６】
電力需要施設における電力消費を管理する電力消費管理装置と通信可能な系統側管理装置において用いられる電力消費管理プログラムであって、コンピュータに、
電力消費の目標を示す目標情報および電力消費の抑制についての価値を示すインセンティブ情報を取得するステップと、
取得した前記目標情報および前記インセンティブ情報を前記電力消費管理装置に通知するステップと、
前記電力需要施設において前記目標が達成できない旨を示す判断情報を前記電力消費管理装置から取得した場合、通知した前記目標情報および前記インセンティブ情報の少なくともいずれか一方の内容を変更するステップと、
変更した情報を前記電力消費管理装置に通知するステップとを実行させるための、電力消費管理プログラム。
【発明の詳細な説明】
【技術分野】
【０００１】
本発明は、電力消費管理装置、電力消費管理システム、系統側管理装置、電力消費管理方法および電力消費管理プログラムに関し、特に、電力系統側から通知される電力消費の目標に対する判断を行なう電力消費管理装置、電力消費管理システム、当該電力消費管理装置と通信可能な系統側管理装置、電力消費管理方法および電力消費管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、ビル等の電力需要施設へのＢＥＭＳ（Ｂｕｉｌｄｉｎｇ  Ｅｎｅｒｇｙ  Ｍａｎａｇｅｍｅｎｔ  Ｓｙｓｔｅｍ）の導入が行われている。
【０００５】
ＢＥＭＳとは、電力需要施設における消費電力量を監視し、電力需要施設における機器または設備等の運転状態を管理することによって、電力需要施設における電力消費の抑制を図るためのシステムである。
【０００６】
ＢＥＭＳは、たとえばアグリゲータと呼ばれる事業者によって導入される。アグリゲータは、ＢＥＭＳを導入した電力需要施設に対してエネルギー管理支援サービスを提供する。
【先行技術文献】
【特許文献】
【０００７】
【特許文献１】特開２０１２−２０５３５８号公報
【特許文献２】特開２０１３−１６１１４４号公報
【発明の概要】
【発明が解決しようとする課題】
【０００８】
電力会社および系統運用会社等の系統側事業者は、多くの電力需要施設にＢＥＭＳが導入されることにより、全体的な電力需要を広範囲に調整することが容易となる。
【０００９】
たとえば、系統側事業者は、電力需給の逼迫が予測される場合に、アグリゲータに対して予め節電要請を行なう。そして、アグリゲータは、電力需要施設の需要家に対して節電要請を行なう。
【００１０】
しかしながら、電力需要施設の需要家が節電要請の対象期間において当該節電要請に従った電力消費の抑制を行なうことが困難な場合もある。このような場合、系統側事業者は、電力需給の逼迫に対して新たな対策を講じる必要が生じる。
【００１１】
この発明は、上述の課題を解決するためになされたもので、その目的は、電力需要施設における電力消費を管理するとともに、電力系統側において電力需給の管理を良好に行なうことが可能な電力消費管理装置、電力消費管理システム、系統側管理装置、電力消費管理方法および電力消費管理プログラムを提供することである。
【課題を解決するための手段】
【００１２】
（１）上記課題を解決するために、この発明のある局面に係わる電力消費管理装置は、電力需要施設における電力消費を管理する電力消費管理装置であって、電力系統側から電力消費の目標を示す目標情報を取得する目標情報取得部と、前記電力需要施設における前記目標の達成に関する判断を行なう判断部と、前記目標に対する前記電力需要施設における電力消費の抑制を予測した内容を示す予測抑制情報を取得する予測抑制情報取得部と、前記判断部の判断結果を示す判断情報、および前記予測抑制情報を前記電力系統側に通知する応答部とを備える。
【００１３】
（６）上記課題を解決するために、この発明のある局面に係わる電力消費管理装置は、電力需要施設における電力消費を管理する電力消費管理装置であって、電力系統側から電力消費の目標を示す目標情報を取得する目標情報取得部と、前記電力需要施設における前記目標の達成に関する判断を行なう判断部と、前記判断部の判断結果を示す判断情報を前記電力系統側に通知する応答部と、前記目標情報に基づいて、前記電力需要施設における電力消費に関する指示情報を前記電力需要施設に通知する指示部と、前記指示情報に対する応答情報を前記電力需要施設から取得する応答情報取得部とを備え、前記判断部は、前記応答情報に基づいて前記判断を行い、前記電力消費管理装置は、さらに、前記応答情報が取得される前に、前記電力需要施設における前記目標の達成に関する判断を行なうプレ判断部を備え、前記応答部は、前記プレ判断部の判断結果を示すプレ判断情報を前記電力系統側に通知可能である。
【００１４】
（７）上記課題を解決するために、この発明のある局面に係わる電力消費管理システムは、電力需要施設における電力消費を管理する電力消費管理装置と、系統側管理装置とを備え、前記系統側管理装置は、電力消費の目標を示す目標情報および電力消費の抑制についての価値を示すインセンティブ情報を前記電力消費管理装置へ送信し、前記電力消費管理装置は、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信し、前記系統側管理装置は、前記電力消費管理装置から前記判断情報を受信して、送信した前記目標情報および前記インセンティブ情報の少なくともいずれか一方の内容を変更し、変更後の情報を前記電力消費管理装置へ送信する。
【００１５】
（９）上記課題を解決するために、この発明のある局面に係わる系統側管理装置は、電力需要施設における電力消費を管理する電力消費管理装置と通信可能な系統側管理装置であって、電力消費の目標を示す目標情報を取得する目標情報取得部と、電力消費の抑制についての価値を示すインセンティブ情報を取得するインセンティブ情報取得部と、前記目標情報および前記インセンティブ情報を前記電力消費管理装置に通知する通知部と、前記電力需要施設における前記目標の達成に関する判断の結果を示す判断情報を前記電力消費管理装置から取得する判断情報取得部と、前記電力需要施設において前記目標が達成できない旨を示す前記判断情報が取得された場合、前記通知部によって通知された前記目標情報および前記インセンティブ情報の少なくともいずれか一方の内容を変更する情報処理部とを備え、前記通知部は、前記情報処理部によって変更された情報を前記電力消費管理装置に通知する。
【００１６】
（１１）上記課題を解決するために、この発明のある局面に係わる電力消費管理方法は、電力需要施設における電力消費を管理する電力消費管理装置における電力消費管理方法であって、電力系統側から電力消費の目標を示す目標情報を取得するステップと、前記電力需要施設における前記目標の達成に関する判断を行なうステップと、前記目標に対する前記電力需要施設における電力消費の抑制を予測した内容を示す予測抑制情報を取得するステップと、前記判断の結果を示す判断情報、および前記予測抑制情報を前記電力系統側に通知するステップとを含む。
【００１７】
（１２）上記課題を解決するために、この発明のある局面に係わる電力消費管理方法は、電力需要施設における電力消費を管理する電力消費管理装置と、系統側管理装置とを備える電力消費管理システムにおける電力消費管理方法であって、前記系統側管理装置が、電力消費の目標を示す目標情報および電力消費の抑制についての価値を示すインセンティブ情報を前記電力消費管理装置へ送信するステップと、前記電力消費管理装置が、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信するステップと、前記系統側管理装置が、前記電力消費管理装置から前記判断情報を受信して、送信した前記目標情報および前記インセンティブ情報の少なくともいずれか一方の内容を変更し、変更後の情報を前記電力消費管理装置へ送信するステップとを含む。
【００１８】
（１３）上記課題を解決するために、この発明のある局面に係わる電力消費管理方法は、電力需要施設における電力消費を管理する電力消費管理装置と通信可能な系統側管理装置における電力消費管理方法であって、電力消費の目標を示す目標情報および電力消費の抑制についての価値を示すインセンティブ情報を取得するステップと、取得した前記目標情報および前記インセンティブ情報を前記電力消費管理装置に通知するステップと、前記電力需要施設において前記目標が達成できない旨を示す判断情報を前記電力消費管理装置から取得した場合、通知した前記目標情報および前記インセンティブ情報の少なくともいずれか一方の内容を変更するステップと、変更した情報を前記電力消費管理装置に通知するステップとを含む。
【００１９】
（１４）上記課題を解決するために、この発明のある局面に係わる電力消費管理プログラムは、電力需要施設における電力消費を管理する電力消費管理装置において用いられる電力消費管理プログラムであって、コンピュータに、電力系統側から電力消費の目標を示す目標情報を取得するステップと、前記電力需要施設における前記目標の達成に関する判断を行なうステップと、前記目標に対する前記電力需要施設における電力消費の抑制を予測した内容を示す予測抑制情報を取得するステップと、前記判断の結果を示す判断情報、および前記予測抑制情報を前記電力系統側に通知するステップとを実行させるためのプログラムである。
【００２０】
（１５）上記課題を解決するために、この発明のある局面に係わる電力消費管理プログラムは、電力需要施設における電力消費を管理する電力消費管理装置と、系統側管理装置とを備える電力消費管理システムにおいて用いられる電力消費管理プログラムであって、コンピュータに、前記系統側管理装置が、電力消費の目標を示す目標情報および電力消費の抑制についての価値を示すインセンティブ情報を前記電力消費管理装置へ送信するステップと、前記電力消費管理装置が、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信するステップと、前記系統側管理装置が、前記電力消費管理装置から前記判断情報を受信して、送信した前記目標情報および前記インセンティブ情報の少なくともいずれか一方の内容を変更し、変更後の情報を前記電力消費管理装置へ送信するステップとを実行させるためのプログラムである。
【００２１】
（１６）上記課題を解決するために、この発明のある局面に係わる電力消費管理プログラムは、電力需要施設における電力消費を管理する電力消費管理装置と通信可能な系統側管理装置において用いられる電力消費管理プログラムであって、コンピュータに、電力消費の目標を示す目標情報および電力消費の抑制についての価値を示すインセンティブ情報を取得するステップと、取得した前記目標情報および前記インセンティブ情報を前記電力消費管理装置に通知するステップと、前記電力需要施設において前記目標が達成できない旨を示す判断情報を前記電力消費管理装置から取得した場合、通知した前記目標情報および前記インセンティブ情報の少なくともいずれか一方の内容を変更するステップと、変更した情報を前記電力消費管理装置に通知するステップとを実行させるためのプログラムである。
【００２２】
本発明は、このような特徴的な処理部を備える電力消費管理装置として実現できるだけでなく、電力消費管理装置の一部または全部を実現する半導体集積回路として実現することができる。
【００２３】
また、本発明は、このような特徴的な処理部を備える系統側管理装置として実現できるだけでなく、系統側管理装置の一部または全部を実現する半導体集積回路として実現することができる。
【００２４】
また、本発明は、このような特徴的な処理部を備える電力消費管理システムとして実現できるだけでなく、電力消費管理システムの一部または全部を実現する半導体集積回路として実現することができる。
【発明の効果】
【００２５】
本発明によれば、電力需要施設における電力消費を管理するとともに、電力系統側において電力需給の管理を良好に行なうことができる。
【図面の簡単な説明】
【００２６】
【図１】図１は、本発明の第１の実施の形態に係る電力消費管理システムの構成を示す図である。
【図２】図２は、本発明の第１の実施の形態に係る電力消費管理システムの適用例を示す図である。
【図３】図３は、本発明の第１の実施の形態に係る電力消費管理システムにおける電力消費制御の一例を示す図である。
【図４】図４は、本発明の第１の実施の形態に係る電力消費管理システムにおける電力消費の抑制の一例を示す図である。
【図５】図５は、本発明の第１の実施の形態に係る電力消費管理システムにおける電力消費管理装置から系統側管理装置への応答内容の一例を示す図である。
【図６】図６は、本発明の第１の実施の形態に係る電力消費管理システムにおける電力消費管理装置から系統側管理装置への応答内容の一例を示す図である。
【図７】図７は、本発明の第１の実施の形態に係る電力消費管理システムにおける電力消費管理装置の構成を示す図である。
【図８】図８は、本発明の第１の実施の形態に係る電力消費管理システムにおける系統側管理装置の構成を示す図である。
【図９】図９は、本発明の第１の実施の形態に係る電力消費管理システムにおける電力消費抑制処理のシーケンスの一例を示す図である。
【図１０】図１０は、本発明の第１の実施の形態に係る電力消費管理システムにおける電力消費抑制処理のシーケンスの一例を示す図である。
【図１１】図１１は、本発明の第１の実施の形態に係る電力消費管理システムにおける電力消費抑制処理のシーケンスの一例を示す図である。
【図１２】図１２は、本発明の第１の実施の形態に係る電力消費管理システムにおける電力消費抑制処理のシーケンスの一例を示す図である。
【図１３】図１３は、本発明の第１の実施の形態に係る電力消費管理システムにおける電力消費抑制処理のシーケンスの一例を示す図である。
【図１４】図１４は、本発明の第１の実施の形態に係る電力消費管理システムにおける電力消費抑制処理のシーケンスの一例を示す図である。
【図１５】図１５は、本発明の第１の実施の形態に係る電力消費管理装置による電力管理情報の処理の手順を定めたフローチャートである。
【図１６】図１６は、本発明の第２の実施の形態に係る電力消費管理システムにおける電力消費管理装置の構成を示す図である。
【図１７】図１７は、本発明の第２の実施の形態に係る電力消費管理システムにおける系統側管理装置の構成を示す図である。
【図１８】図１８は、本発明の第２の実施の形態に係る電力消費管理システムにおける電力消費抑制処理のシーケンスの一例を示す図である。
【図１９】図１９は、本発明の第２の実施の形態に係る電力消費管理システムにおける電力消費抑制処理のシーケンスの一例を示す図である。
【図２０】図２０は、本発明の第３の実施の形態に係る電力消費管理システムにおける電力消費管理装置の構成を示す図である。
【図２１】図２１は、本発明の第３の実施の形態に係る電力消費管理システムにおける系統側管理装置の構成を示す図である。
【図２２】図２２は、本発明の第３の実施の形態に係る電力消費管理システムにおける電力消費抑制処理のシーケンスの一例を示す図である。
【図２３】図２３は、本発明の第３の実施の形態に係る電力消費管理システムにおける電力消費抑制処理のシーケンスの一例を示す図である。
【図２４】図２４は、本発明の第３の実施の形態に係る電力消費管理システムにおける電力消費抑制処理のシーケンスの一例を示す図である。
【図２５】図２５は、本発明の第３の実施の形態に係る電力消費管理システムにおける電力消費抑制処理のシーケンスの一例を示す図である。
【図２６】図２６は、本発明の第３の実施の形態に係る電力消費管理システムにおける電力消費抑制処理のシーケンスの一例を示す図である。
【発明を実施するための形態】
【００２７】
最初に、本発明の実施形態の内容を列記して説明する。
【００２８】
（１）本発明の実施の形態に係る電力消費管理装置は、電力需要施設における電力消費を管理する電力消費管理装置であって、電力系統側から電力消費の目標を示す目標情報を取得する目標情報取得部と、前記電力需要施設における前記目標の達成に関する判断を行なう判断部と、前記目標に対する前記電力需要施設における電力消費の抑制を予測した内容を示す予測抑制情報を取得する予測抑制情報取得部と、前記判断部の判断結果を示す判断情報、および前記予測抑制情報を前記電力系統側に通知する応答部とを備える。
【００２９】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、上記判断結果と合わせて電力需要施設において想定される電力消費の抑制内容を電力系統側に通知する構成により、電力系統側は、より適切な対策を講じることができる。また、電力系統側は、次回の節電要請においてより的確な目標を設定することができる。すなわち、電力需給の改善をより確実に実現可能なシステムを提供することができる。したがって、本発明の実施の形態に係る電力消費管理装置では、電力需要施設における電力消費を管理するとともに、電力系統側において電力需給の管理を良好に行なうことができる。
【００３０】
（２）好ましくは、前記電力消費管理装置は、さらに、前記目標情報に基づいて、前記電力需要施設における電力消費に関する指示情報を前記電力需要施設に通知する指示部と、前記指示情報に対する応答情報を前記電力需要施設から取得する応答情報取得部とを備え、前記判断部は、前記応答情報に基づいて前記判断を行い、前記電力消費管理装置は、さらに、前記応答情報が取得される前に、前記電力需要施設における前記目標の達成に関する判断を行なうプレ判断部を備え、前記応答部は、前記プレ判断部の判断結果を示すプレ判断情報を前記電力系統側に通知可能である。
【００３１】
このような構成により、電力消費の目標の達成に関する判断結果をより早いタイミングで電力系統側に通知することができるため、電力需要施設において当該目標に沿った電力消費の抑制を行なうことが困難であると想定される場合に、電力系統側において早期に次の対策を講じることが可能となる。そして、電力消費の抑制依頼に対する電力需要施設からの実際の応答内容に基づく判断結果を電力系統側に通知する構成により、電力系統側は、電力需要施設における電力消費の目標達成の可否をより高い確度で知ることができる。
【００３２】
（３）より好ましくは、前記応答部は、前記プレ判断情報とともに前記予測抑制情報を前記電力系統側に通知可能である。
【００３３】
このような構成により、電力消費の目標の達成に関する判断結果および電力需要施設において想定される電力消費の抑制内容をより早いタイミングで電力系統側に通知することができるため、電力系統側は、より適切な対策を早期に講じることができる。また、電力系統側は、より的確な目標を設定した次回の節電要請を早期に行なうことができる。
【００３４】
（４）より好ましくは、前記予測抑制情報取得部は、前記応答情報に基づいて前記予測抑制情報を算出し、前記応答部は、前記判断情報とともに、算出された前記予測抑制情報を前記電力系統側に通知する。
【００３５】
このような構成により、電力消費の抑制依頼に対する電力需要施設からの実際の応答内容に基づいて電力需要施設における電力消費の抑制内容をより正確に予測し、電力系統側に通知することができるため、電力系統側においてより適切な対策を講じることができる。また、電力系統側は、次回の節電要請においてより的確な目標を設定することができる。
【００３６】
（５）より好ましくは、前記電力消費管理装置は、さらに、前記電力系統側から電力消費の抑制についての価値を示すインセンティブ情報を取得するインセンティブ情報取得部を備え、前記プレ判断部は、前記インセンティブ情報に基づいて、前記電力需要施設における前記目標の達成に関する判断を行なう。
【００３７】
このように、インセンティブ情報を用いる構成により、電力需要施設における電力消費の抑制内容をより正確に予測し、電力消費の目標の達成に関してより正しい判断を行なうことができる。
【００３８】
（６）本発明の実施の形態に係る電力消費管理装置は、電力需要施設における電力消費を管理する電力消費管理装置であって、電力系統側から電力消費の目標を示す目標情報を取得する目標情報取得部と、前記電力需要施設における前記目標の達成に関する判断を行なう判断部と、前記判断部の判断結果を示す判断情報を前記電力系統側に通知する応答部と、前記目標情報に基づいて、前記電力需要施設における電力消費に関する指示情報を前記電力需要施設に通知する指示部と、前記指示情報に対する応答情報を前記電力需要施設から取得する応答情報取得部とを備え、前記判断部は、前記応答情報に基づいて前記判断を行い、前記電力消費管理装置は、さらに、前記応答情報が取得される前に、前記電力需要施設における前記目標の達成に関する判断を行なうプレ判断部を備え、前記応答部は、前記プレ判断部の判断結果を示すプレ判断情報を前記電力系統側に通知可能である。
【００３９】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、電力消費の目標の達成に関する判断結果をより早いタイミングで電力系統側に通知することができるため、電力需要施設において当該目標に沿った電力消費の抑制を行なうことが困難であると想定される場合に、電力系統側において早期に次の対策を講じることが可能となる。そして、電力消費の抑制依頼に対する電力需要施設からの実際の応答内容に基づく判断結果を電力系統側に通知する構成により、電力系統側は、電力需要施設における電力消費の目標達成の可否をより高い確度で知ることができる。したがって、本発明の実施の形態に係る電力消費管理装置では、電力需要施設における電力消費を管理するとともに、電力系統側において電力需給の管理を良好に行なうことができる。
【００４０】
（７）本発明の実施の形態に係る電力消費管理システムは、電力需要施設における電力消費を管理する電力消費管理装置と、系統側管理装置とを備え、前記系統側管理装置は、電力消費の目標を示す目標情報および電力消費の抑制についての価値を示すインセンティブ情報を前記電力消費管理装置へ送信し、前記電力消費管理装置は、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信し、前記系統側管理装置は、前記電力消費管理装置から前記判断情報を受信して、送信した前記目標情報および前記インセンティブ情報の少なくともいずれか一方の内容を変更し、変更後の情報を前記電力消費管理装置へ送信する。
【００４１】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、インセンティブ情報を用いる構成により、電力需要施設における電力消費の抑制内容をより正確に予測し、電力消費の目標の達成に関してより正しい判断を行なうことができる。また、上記判断結果から目標情報の内容を変更して電力消費管理装置に通知する構成により、電力需要施設において受け入れ可能な電力消費の目標を設定し、電力消費の抑制のためのリソースを早期に確保し、電力消費管理システムにおける節電目標の達成のための準備を完了することができる。また、上記判断結果からインセンティブ情報の内容を変更して電力消費管理装置に通知する構成により、電力系統側において、発電機および蓄電池等による電力系統側の対策と、インセンティブの変更を含む電力消費の抑制依頼による電力需要側の対策とを、経済的に最適となるバランスを考慮して決定することができる。したがって、本発明の実施の形態に係る電力消費管理システムでは、電力需要施設における電力消費を管理するとともに、電力系統側において電力需給の管理を良好に行なうことができる。
【００４２】
（８）好ましくは、前記電力消費管理装置は、前記目標に対する前記電力需要施設における電力消費の抑制を予測した内容を示す予測抑制情報、および前記判断情報を前記系統側管理装置へ送信し、前記系統側管理装置は、前記電力消費管理装置から前記判断情報および前記予測抑制情報を受信して、前記予測抑制情報に基づいて、送信した前記目標情報および前記インセンティブ情報の少なくともいずれか一方の内容を変更する。
【００４３】
このように、上記判断結果と合わせて電力需要施設において想定される電力消費の抑制内容を電力系統側に通知する構成により、電力系統側は、目標情報またはインセンティブ情報をより適切な内容に変更することができる。
【００４４】
（９）本発明の実施の形態に係る系統側管理装置は、電力需要施設における電力消費を管理する電力消費管理装置と通信可能な系統側管理装置であって、電力消費の目標を示す目標情報を取得する目標情報取得部と、電力消費の抑制についての価値を示すインセンティブ情報を取得するインセンティブ情報取得部と、前記目標情報および前記インセンティブ情報を前記電力消費管理装置に通知する通知部と、前記電力需要施設における前記目標の達成に関する判断の結果を示す判断情報を前記電力消費管理装置から取得する判断情報取得部と、前記電力需要施設において前記目標が達成できない旨を示す前記判断情報が取得された場合、前記通知部によって通知された前記目標情報および前記インセンティブ情報の少なくともいずれか一方の内容を変更する情報処理部とを備え、前記通知部は、前記情報処理部によって変更された情報を前記電力消費管理装置に通知する。
【００４５】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、インセンティブ情報を用いる構成により、電力需要施設における電力消費の抑制内容をより正確に予測し、電力消費の目標の達成に関してより正しい判断を行なうことができる。また、上記判断結果から目標情報の内容を変更して電力消費管理装置に通知する構成により、電力需要施設において受け入れ可能な電力消費の目標を設定し、電力消費の抑制のためのリソースを早期に確保し、電力消費管理システムにおける節電目標の達成のための準備を完了することができる。また、上記判断結果からインセンティブ情報の内容を変更して電力消費管理装置に通知する構成により、電力系統側において、発電機および蓄電池等による電力系統側の対策と、インセンティブの変更を含む電力消費の抑制依頼による電力需要側の対策とを、経済的に最適となるバランスを考慮して決定することができる。したがって、本発明の実施の形態に係る系統側管理装置では、電力需要施設における電力消費を管理するとともに、電力系統側において電力需給の管理を良好に行なうことができる。
【００４６】
（１０）好ましくは、前記系統側管理装置は、さらに、前記目標に対する前記電力需要施設における電力消費の抑制を予測した内容を示す予測抑制情報を取得する予測抑制情報取得部を備え、前記情報処理部は、前記目標が達成できない旨を示す前記判断情報、および前記予測抑制情報が取得された場合、前記予測抑制情報に基づいて、前記通知部によって通知された前記目標情報および前記インセンティブ情報の少なくともいずれか一方の内容を変更する。
【００４７】
このように、上記判断結果と合わせて電力需要施設において想定される電力消費の抑制内容を電力系統側に通知する構成により、電力系統側は、目標情報またはインセンティブ情報をより適切な内容に変更することができる。
【００４８】
（１１）本発明の実施の形態に係る電力消費管理方法は、電力需要施設における電力消費を管理する電力消費管理装置における電力消費管理方法であって、電力系統側から電力消費の目標を示す目標情報を取得するステップと、前記電力需要施設における前記目標の達成に関する判断を行なうステップと、前記目標に対する前記電力需要施設における電力消費の抑制を予測した内容を示す予測抑制情報を取得するステップと、前記判断の結果を示す判断情報、および前記予測抑制情報を前記電力系統側に通知するステップとを含む。
【００４９】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、上記判断結果と合わせて電力需要施設において想定される電力消費の抑制内容を電力系統側に通知する構成により、電力系統側は、より適切な対策を講じることができる。また、電力系統側は、次回の節電要請においてより的確な目標を設定することができる。すなわち、電力需給の改善をより確実に実現可能なシステムを提供することができる。したがって、本発明の実施の形態に係る電力消費管理方法では、電力需要施設における電力消費を管理するとともに、電力系統側において電力需給の管理を良好に行なうことができる。
【００５０】
（１２）本発明の実施の形態に係る電力消費管理方法は、電力需要施設における電力消費を管理する電力消費管理装置と、系統側管理装置とを備える電力消費管理システムにおける電力消費管理方法であって、前記系統側管理装置が、電力消費の目標を示す目標情報および電力消費の抑制についての価値を示すインセンティブ情報を前記電力消費管理装置へ送信するステップと、前記電力消費管理装置が、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信するステップと、前記系統側管理装置が、前記電力消費管理装置から前記判断情報を受信して、送信した前記目標情報および前記インセンティブ情報の少なくともいずれか一方の内容を変更し、変更後の情報を前記電力消費管理装置へ送信するステップとを含む。
【００５１】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、インセンティブ情報を用いる構成により、電力需要施設における電力消費の抑制内容をより正確に予測し、電力消費の目標の達成に関してより正しい判断を行なうことができる。また、上記判断結果から目標情報の内容を変更して電力消費管理装置に通知する構成により、電力需要施設において受け入れ可能な電力消費の目標を設定し、電力消費の抑制のためのリソースを早期に確保し、電力消費管理システムにおける節電目標の達成のための準備を完了することができる。また、上記判断結果からインセンティブ情報の内容を変更して電力消費管理装置に通知する構成により、電力系統側において、発電機および蓄電池等による電力系統側の対策と、インセンティブの変更を含む電力消費の抑制依頼による電力需要側の対策とを、経済的に最適となるバランスを考慮して決定することができる。したがって、本発明の実施の形態に係る電力消費管理方法では、電力需要施設における電力消費を管理するとともに、電力系統側において電力需給の管理を良好に行なうことができる。
【００５２】
（１３）本発明の実施の形態に係る電力消費管理方法は、電力需要施設における電力消費を管理する電力消費管理装置と通信可能な系統側管理装置における電力消費管理方法であって、電力消費の目標を示す目標情報および電力消費の抑制についての価値を示すインセンティブ情報を取得するステップと、取得した前記目標情報および前記インセンティブ情報を前記電力消費管理装置に通知するステップと、前記電力需要施設において前記目標が達成できない旨を示す判断情報を前記電力消費管理装置から取得した場合、通知した前記目標情報および前記インセンティブ情報の少なくともいずれか一方の内容を変更するステップと、変更した情報を前記電力消費管理装置に通知するステップとを含む。
【００５３】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、インセンティブ情報を用いる構成により、電力需要施設における電力消費の抑制内容をより正確に予測し、電力消費の目標の達成に関してより正しい判断を行なうことができる。また、上記判断結果から目標情報の内容を変更して電力消費管理装置に通知する構成により、電力需要施設において受け入れ可能な電力消費の目標を設定し、電力消費の抑制のためのリソースを早期に確保し、電力消費管理システムにおける節電目標の達成のための準備を完了することができる。また、上記判断結果からインセンティブ情報の内容を変更して電力消費管理装置に通知する構成により、電力系統側において、発電機および蓄電池等による電力系統側の対策と、インセンティブの変更を含む電力消費の抑制依頼による電力需要側の対策とを、経済的に最適となるバランスを考慮して決定することができる。したがって、本発明の実施の形態に係る電力消費管理方法では、電力需要施設における電力消費を管理するとともに、電力系統側において電力需給の管理を良好に行なうことができる。
【００５４】
（１４）本発明の実施の形態に係る電力消費管理プログラムは、電力需要施設における電力消費を管理する電力消費管理装置において用いられる電力消費管理プログラムであって、コンピュータに、電力系統側から電力消費の目標を示す目標情報を取得するステップと、前記電力需要施設における前記目標の達成に関する判断を行なうステップと、前記目標に対する前記電力需要施設における電力消費の抑制を予測した内容を示す予測抑制情報を取得するステップと、前記判断の結果を示す判断情報、および前記予測抑制情報を前記電力系統側に通知するステップとを実行させるためのプログラムである。
【００５５】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、上記判断結果と合わせて電力需要施設において想定される電力消費の抑制内容を電力系統側に通知する構成により、電力系統側は、より適切な対策を講じることができる。また、電力系統側は、次回の節電要請においてより的確な目標を設定することができる。すなわち、電力需給の改善をより確実に実現可能なシステムを提供することができる。したがって、本発明の実施の形態に係る電力消費管理プログラムでは、電力需要施設における電力消費を管理するとともに、電力系統側において電力需給の管理を良好に行なうことができる。
【００５６】
（１５）本発明の実施の形態に係る電力消費管理プログラムは、電力需要施設における電力消費を管理する電力消費管理装置と、系統側管理装置とを備える電力消費管理システムにおいて用いられる電力消費管理プログラムであって、コンピュータに、前記系統側管理装置が、電力消費の目標を示す目標情報および電力消費の抑制についての価値を示すインセンティブ情報を前記電力消費管理装置へ送信するステップと、前記電力消費管理装置が、前記系統側管理装置から受信した前記インセンティブ情報に基づいて、前記電力需要施設における前記目標の達成に関する判断を行い、前記目標が達成できないと判断した場合、前記目標が達成できない旨を示す判断情報を前記系統側管理装置へ送信するステップと、前記系統側管理装置が、前記電力消費管理装置から前記判断情報を受信して、送信した前記目標情報および前記インセンティブ情報の少なくともいずれか一方の内容を変更し、変更後の情報を前記電力消費管理装置へ送信するステップとを実行させるためのプログラムである。
【００５７】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、インセンティブ情報を用いる構成により、電力需要施設における電力消費の抑制内容をより正確に予測し、電力消費の目標の達成に関してより正しい判断を行なうことができる。また、上記判断結果から目標情報の内容を変更して電力消費管理装置に通知する構成により、電力需要施設において受け入れ可能な電力消費の目標を設定し、電力消費の抑制のためのリソースを早期に確保し、電力消費管理システムにおける節電目標の達成のための準備を完了することができる。また、上記判断結果からインセンティブ情報の内容を変更して電力消費管理装置に通知する構成により、電力系統側において、発電機および蓄電池等による電力系統側の対策と、インセンティブの変更を含む電力消費の抑制依頼による電力需要側の対策とを、経済的に最適となるバランスを考慮して決定することができる。したがって、本発明の実施の形態に係る電力消費管理プログラムでは、電力需要施設における電力消費を管理するとともに、電力系統側において電力需給の管理を良好に行なうことができる。
【００５８】
（１６）本発明の実施の形態に係る電力消費管理プログラムは、電力需要施設における電力消費を管理する電力消費管理装置と通信可能な系統側管理装置において用いられる電力消費管理プログラムであって、コンピュータに、電力消費の目標を示す目標情報および電力消費の抑制についての価値を示すインセンティブ情報を取得するステップと、取得した前記目標情報および前記インセンティブ情報を前記電力消費管理装置に通知するステップと、前記電力需要施設において前記目標が達成できない旨を示す判断情報を前記電力消費管理装置から取得した場合、通知した前記目標情報および前記インセンティブ情報の少なくともいずれか一方の内容を変更するステップと、変更した情報を前記電力消費管理装置に通知するステップとを実行させるためのプログラムである。
【００５９】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、インセンティブ情報を用いる構成により、電力需要施設における電力消費の抑制内容をより正確に予測し、電力消費の目標の達成に関してより正しい判断を行なうことができる。また、上記判断結果から目標情報の内容を変更して電力消費管理装置に通知する構成により、電力需要施設において受け入れ可能な電力消費の目標を設定し、電力消費の抑制のためのリソースを早期に確保し、電力消費管理システムにおける節電目標の達成のための準備を完了することができる。また、上記判断結果からインセンティブ情報の内容を変更して電力消費管理装置に通知する構成により、電力系統側において、発電機および蓄電池等による電力系統側の対策と、インセンティブの変更を含む電力消費の抑制依頼による電力需要側の対策とを、経済的に最適となるバランスを考慮して決定することができる。したがって、本発明の実施の形態に係る電力消費管理プログラムでは、電力需要施設における電力消費を管理するとともに、電力系統側において電力需給の管理を良好に行なうことができる。
【００６０】
（Ｂ１）本発明の実施の形態に係る電力消費管理装置は、電力需要施設における電力消費を管理する電力消費管理装置であって、電力系統側から電力消費の目標を示す目標情報を取得する目標情報取得部と、前記電力需要施設における前記目標の達成に関する判断を行なう判断部と、前記判断部の判断結果を示す判断情報を前記電力系統側に通知する応答部と、前記目標情報に関する期限の徒過を判断する期限管理部とを備え、前記判断部は、前記期限を徒過したと前記期限管理部によって判断された場合、前記目標が達成できないと判断する。
【００６１】
このように、電力系統側からの目標情報に関する期限の徒過を判断し、当該期限を徒過した場合に、当該目標が達成できないと判断する構成により、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理装置では、電力需要施設における電力消費を管理するとともに、電力系統側において電力需給の管理を良好に行なうことができる。
【００６２】
（Ｂ２）好ましくは、前記目標情報は、前記目標の対象期間を含み、前記期限管理部は、前記対象期間の開始から所定時間前の前記期限の徒過を判断する。
【００６３】
このような構成により、たとえば節電期間である対象期間よりもある程度前の適切な時期に期限を設定することができる。また、たとえば、設定済みの節電イベントに関する変更を示す電力管理情報を受信した時点において、対象期間に鑑みて電力需要施設において当該変更が困難であると予想される場合に、当該変更の依頼を断ることができるため、余分な通信トラフィックの発生、および電力需要施設における許諾／非許諾の検討のための人手の手間を減らすことができる。
【００６４】
（Ｂ３）好ましくは、前記電力消費管理装置は、さらに、前記目標情報に基づいて、前記電力需要施設における電力消費に関する指示情報を前記電力需要施設に通知する指示部と、前記指示情報に対する応答情報を前記電力需要施設から取得する応答情報取得部とを備え、前記判断部は、前記応答情報に基づいて前記判断を行い、前記応答情報取得部が前記応答情報を前記期限の到来前に取得できない場合、前記目標が達成できないと判断する。
【００６５】
このような構成により、指示情報に対する電力需要施設からの応答が遅れる場合でも、当該応答を待つことなく当該目標の達成不可を判断し、電力需要施設において当該目標に沿った電力消費の抑制を行なうことが困難であることの電力系統側の認識の遅れを防ぐことができる。
【００６６】
（Ｂ４）本発明の実施の形態に係る電力消費管理システムは、電力需要施設における電力消費を管理する電力消費管理装置と、系統側管理装置とを備え、前記系統側管理装置は、電力消費の目標を示す目標情報、および前記目標情報に関する期限を示す期限情報を前記電力消費管理装置へ送信し、前記電力消費管理装置は、前記系統側管理装置から前記目標情報を受信して、前記目標情報に基づいて、前記電力需要施設における電力消費に関する指示情報を前記電力需要施設へ送信し、前記電力消費管理装置は、前記指示情報に対する応答情報を前記電力需要施設から受信し、前記電力需要施設における前記目標の達成に関する判断を前記応答情報に基づいて行い、判断結果を示す判断情報を前記系統側管理装置へ送信し、前記電力消費管理装置は、前記応答情報の受信前に前記目標情報に関する期限が到来したと判断した場合、前記目標が達成できないと判断する。
【００６７】
このように、電力系統側から電力消費管理装置へ期限情報を通知する構成により、電力消費管理装置において、電力系統側からの目標情報に関する期限の徒過を判断し、当該期限を徒過した場合に、当該目標が達成できないと判断することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理システムでは、電力需要施設における電力消費を管理するとともに、電力系統側において電力需給の管理を良好に行なうことができる。また、予測される電力需要の状況に応じて期限情報の示す期限を系統側管理装置において調整することができるため、電力消費管理装置からの判断情報の到着タイミングを適切に設定することができる。
【００６８】
（Ｂ５）本発明の実施の形態に係る電力消費管理システムは、電力需要施設における電力消費を管理する電力消費管理装置と、系統側管理装置とを備え、前記系統側管理装置は、電力消費の目標を示す目標情報を前記電力消費管理装置へ送信し、前記電力消費管理装置は、前記系統側管理装置から前記目標情報を受信して、前記目標情報に基づいて、前記電力需要施設における電力消費に関する指示情報、および前記目標情報に関する期限を示す期限情報を前記電力需要施設へ送信し、前記電力消費管理装置は、前記指示情報に対する応答情報を前記電力需要施設から受信し、前記電力需要施設における前記目標の達成に関する判断を前記応答情報に基づいて行い、判断結果を示す判断情報を前記系統側管理装置へ送信し、前記電力消費管理装置は、前記応答情報の受信前に前記目標情報に関する期限が到来したと判断した場合、前記目標が達成できないと判断する。
【００６９】
このように、電力消費管理装置から電力需要施設へ期限情報を通知する構成により、電力需要施設における電力消費の抑制に関する早期の判断を促すことができるため、電力消費管理装置において、次の処理に必要となる時間をより確実に確保することができ、電力消費の目標の達成に関する判断結果を電力系統側に早期に通知することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理システムでは、電力需要施設における電力消費を管理するとともに、電力系統側において電力需給の管理を良好に行なうことができる。また、現在時刻からたとえば節電期間までの時間の長短等の状況に応じて期限情報の示す期限を電力消費管理装置において調整することができるため、電力需要施設からの応答情報の到着タイミングを適切に設定することができる。
【００７０】
（Ｂ６）本発明の実施の形態に係る系統側管理装置は、電力需要施設における電力消費を管理する電力消費管理装置と通信可能な系統側管理装置であって、電力消費の目標を示す目標情報を取得する目標情報取得部と、前記目標情報に関する期限を示す期限情報を取得する期限情報取得部と、前記目標情報および前記期限情報を前記電力消費管理装置に通知する通知部と、前記電力需要施設における前記目標の達成に関する判断の結果を示す判断情報を前記電力消費管理装置から取得する判断情報取得部とを備える。
【００７１】
このように、電力系統側から電力消費管理装置へ期限情報を通知する構成により、電力消費管理装置において、電力系統側からの目標情報に関する期限の徒過を判断し、当該期限を徒過した場合に、当該目標が達成できないと判断することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る系統側管理装置では、電力需要施設における電力消費を管理するとともに、電力系統側において電力需給の管理を良好に行なうことができる。また、予測される電力需要の状況に応じて期限情報の示す期限を系統側管理装置において調整することができるため、電力消費管理装置からの判断情報の到着タイミングを適切に設定することができる。
【００７２】
（Ｂ７）本発明の実施の形態に係る電力消費管理方法は、電力需要施設における電力消費を管理する電力消費管理装置における電力消費管理方法であって、電力系統側から電力消費の目標を示す目標情報を取得するステップと、前記電力需要施設における前記目標の達成に関する判断を行なうステップと、前記判断の結果を示す判断情報を前記電力系統側に通知するステップと、前記目標情報に関する期限の徒過を判断するステップとを含み、前記目標の達成に関する判断を行なうステップにおいては、前記期限を徒過したと判断した場合、前記目標が達成できないと判断する。
【００７３】
このように、電力系統側からの目標情報に関する期限の徒過を判断し、当該期限を徒過した場合に、当該目標が達成できないと判断する構成により、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理方法では、電力需要施設における電力消費を管理するとともに、電力系統側において電力需給の管理を良好に行なうことができる。
【００７４】
（Ｂ８）本発明の実施の形態に係る電力消費管理方法は、電力需要施設における電力消費を管理する電力消費管理装置と、系統側管理装置とを備える電力消費管理システムにおける電力消費管理方法であって、前記系統側管理装置が、電力消費の目標を示す目標情報、および前記目標情報に関する期限を示す期限情報を前記電力消費管理装置へ送信するステップと、前記電力消費管理装置が、前記系統側管理装置から前記目標情報を受信して、前記目標情報に基づいて、前記電力需要施設における電力消費に関する指示情報を前記電力需要施設へ送信するステップと、前記電力消費管理装置が、前記指示情報に対する応答情報を前記電力需要施設から受信し、前記電力需要施設における前記目標の達成に関する判断を前記応答情報に基づいて行い、判断結果を示す判断情報を前記系統側管理装置へ送信するステップと、前記目標の達成に関する判断を行なうステップにおいては、前記電力消費管理装置は、前記応答情報の受信前に前記目標情報に関する期限が到来したと判断した場合、前記目標が達成できないと判断する。
【００７５】
このように、電力系統側から電力消費管理装置へ期限情報を通知する構成により、電力消費管理装置において、電力系統側からの目標情報に関する期限の徒過を判断し、当該期限を徒過した場合に、当該目標が達成できないと判断することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理方法では、電力需要施設における電力消費を管理するとともに、電力系統側において電力需給の管理を良好に行なうことができる。また、予測される電力需要の状況に応じて期限情報の示す期限を系統側管理装置において調整することができるため、電力消費管理装置からの判断情報の到着タイミングを適切に設定することができる。
【００７６】
（Ｂ９）本発明の実施の形態に係る電力消費管理方法は、電力需要施設における電力消費を管理する電力消費管理装置と、系統側管理装置とを備える電力消費管理システムにおける電力消費管理方法であって、前記系統側管理装置が、電力消費の目標を示す目標情報を前記電力消費管理装置へ送信するステップと、前記電力消費管理装置が、前記系統側管理装置から前記目標情報を受信して、前記目標情報に基づいて、前記電力需要施設における電力消費に関する指示情報、および前記目標情報に関する期限を示す期限情報を前記電力需要施設へ送信するステップと、前記電力消費管理装置が、前記指示情報に対する応答情報を前記電力需要施設から受信し、前記電力需要施設における前記目標の達成に関する判断を前記応答情報に基づいて行い、判断結果を示す判断情報を前記系統側管理装置へ送信するステップと、前記目標の達成に関する判断を行なうステップにおいては、前記電力消費管理装置は、前記応答情報の受信前に前記目標情報に関する期限が到来したと判断した場合、前記目標が達成できないと判断する。
【００７７】
このように、電力消費管理装置から電力需要施設へ期限情報を通知する構成により、電力需要施設における電力消費の抑制に関する早期の判断を促すことができるため、電力消費管理装置において、次の処理に必要となる時間をより確実に確保することができ、電力消費の目標の達成に関する判断結果を電力系統側に早期に通知することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理方法では、電力需要施設における電力消費を管理するとともに、電力系統側において電力需給の管理を良好に行なうことができる。また、現在時刻からたとえば節電期間までの時間の長短等の状況に応じて期限情報の示す期限を電力消費管理装置において調整することができるため、電力需要施設からの応答情報の到着タイミングを適切に設定することができる。
【００７８】
（Ｂ１０）本発明の実施の形態に係る電力消費管理方法は、電力需要施設における電力消費を管理する電力消費管理装置と通信可能な系統側管理装置における電力消費管理方法であって、電力消費の目標を示す目標情報および前記目標情報に関する期限を示す期限情報を取得するステップと、取得した前記目標情報および前記期限情報を前記電力消費管理装置に通知するステップと、前記電力需要施設における前記目標の達成に関する判断の結果を示す判断情報を前記電力消費管理装置から取得するステップとを含む。
【００７９】
このように、電力系統側から電力消費管理装置へ期限情報を通知する構成により、電力消費管理装置において、電力系統側からの目標情報に関する期限の徒過を判断し、当該期限を徒過した場合に、当該目標が達成できないと判断することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理方法では、電力需要施設における電力消費を管理するとともに、電力系統側において電力需給の管理を良好に行なうことができる。また、予測される電力需要の状況に応じて期限情報の示す期限を系統側管理装置において調整することができるため、電力消費管理装置からの判断情報の到着タイミングを適切に設定することができる。
【００８０】
（Ｂ１１）本発明の実施の形態に係る電力消費管理プログラムは、電力需要施設における電力消費を管理する電力消費管理装置において用いられる電力消費管理プログラムであって、コンピュータに、電力系統側から電力消費の目標を示す目標情報を取得するステップと、前記電力需要施設における前記目標の達成に関する判断を行なうステップと、前記判断の結果を示す判断情報を前記電力系統側に通知するステップと、前記目標情報に関する期限の徒過を判断するステップとを実行させるためのプログラムであり、前記目標の達成に関する判断を行なうステップにおいては、前記期限を徒過したと判断した場合、前記目標が達成できないと判断する。
【００８１】
このように、電力系統側からの目標情報に関する期限の徒過を判断し、当該期限を徒過した場合に、当該目標が達成できないと判断する構成により、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理プログラムでは、電力需要施設における電力消費を管理するとともに、電力系統側において電力需給の管理を良好に行なうことができる。
【００８２】
（Ｂ１２）本発明の実施の形態に係る電力消費管理プログラムは、電力需要施設における電力消費を管理する電力消費管理装置と、系統側管理装置とを備える電力消費管理システムにおいて用いられる電力消費管理プログラムであって、コンピュータに、前記系統側管理装置が、電力消費の目標を示す目標情報、および前記目標情報に関する期限を示す期限情報を前記電力消費管理装置へ送信するステップと、前記電力消費管理装置が、前記系統側管理装置から前記目標情報を受信して、前記目標情報に基づいて、前記電力需要施設における電力消費に関する指示情報を前記電力需要施設へ送信するステップと、前記電力消費管理装置が、前記指示情報に対する応答情報を前記電力需要施設から受信し、前記電力需要施設における前記目標の達成に関する判断を前記応答情報に基づいて行い、判断結果を示す判断情報を前記系統側管理装置へ送信するステップとを実行させるためのプログラムであり、前記目標の達成に関する判断を行なうステップにおいては、前記電力消費管理装置は、前記応答情報の受信前に前記目標情報に関する期限が到来したと判断した場合、前記目標が達成できないと判断する。
【００８３】
このように、電力系統側から電力消費管理装置へ期限情報を通知する構成により、電力消費管理装置において、電力系統側からの目標情報に関する期限の徒過を判断し、当該期限を徒過した場合に、当該目標が達成できないと判断することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理プログラムでは、電力需要施設における電力消費を管理するとともに、電力系統側において電力需給の管理を良好に行なうことができる。また、予測される電力需要の状況に応じて期限情報の示す期限を系統側管理装置において調整することができるため、電力消費管理装置からの判断情報の到着タイミングを適切に設定することができる。
【００８４】
（Ｂ１３）本発明の実施の形態に係る電力消費管理プログラムは、電力需要施設における電力消費を管理する電力消費管理装置と、系統側管理装置とを備える電力消費管理システムにおいて用いられる電力消費管理プログラムであって、コンピュータに、前記系統側管理装置が、電力消費の目標を示す目標情報を前記電力消費管理装置へ送信するステップと、前記電力消費管理装置が、前記系統側管理装置から前記目標情報を受信して、前記目標情報に基づいて、前記電力需要施設における電力消費に関する指示情報、および前記目標情報に関する期限を示す期限情報を前記電力需要施設へ送信するステップと、前記電力消費管理装置が、前記指示情報に対する応答情報を前記電力需要施設から受信し、前記電力需要施設における前記目標の達成に関する判断を前記応答情報に基づいて行い、判断結果を示す判断情報を前記系統側管理装置へ送信するステップとを実行させるためのプログラムであり、前記目標の達成に関する判断を行なうステップにおいては、前記電力消費管理装置は、前記応答情報の受信前に前記目標情報に関する期限が到来したと判断した場合、前記目標が達成できないと判断する。
【００８５】
このように、電力消費管理装置から電力需要施設へ期限情報を通知する構成により、電力需要施設における電力消費の抑制に関する早期の判断を促すことができるため、電力消費管理装置において、次の処理に必要となる時間をより確実に確保することができ、電力消費の目標の達成に関する判断結果を電力系統側に早期に通知することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理プログラムでは、電力需要施設における電力消費を管理するとともに、電力系統側において電力需給の管理を良好に行なうことができる。また、現在時刻からたとえば節電期間までの時間の長短等の状況に応じて期限情報の示す期限を電力消費管理装置において調整することができるため、電力需要施設からの応答情報の到着タイミングを適切に設定することができる。
【００８６】
（Ｂ１４）本発明の実施の形態に係る電力消費管理プログラムは、電力需要施設における電力消費を管理する電力消費管理装置と通信可能な系統側管理装置において用いられる電力消費管理プログラムであって、コンピュータに、電力消費の目標を示す目標情報および前記目標情報に関する期限を示す期限情報を取得するステップと、取得した前記目標情報および前記期限情報を前記電力消費管理装置に通知するステップと、前記電力需要施設における前記目標の達成に関する判断の結果を示す判断情報を前記電力消費管理装置から取得するステップとを実行させるためのプログラムである。
【００８７】
このように、電力系統側から電力消費管理装置へ期限情報を通知する構成により、電力消費管理装置において、電力系統側からの目標情報に関する期限の徒過を判断し、当該期限を徒過した場合に、当該目標が達成できないと判断することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。したがって、本発明の実施の形態に係る電力消費管理プログラムでは、電力需要施設における電力消費を管理するとともに、電力系統側において電力需給の管理を良好に行なうことができる。また、予測される電力需要の状況に応じて期限情報の示す期限を系統側管理装置において調整することができるため、電力消費管理装置からの判断情報の到着タイミングを適切に設定することができる。
【００８８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００８９】
＜第１の実施の形態＞
［構成および基本動作］
図１は、本発明の第１の実施の形態に係る電力消費管理システムの構成を示す図である。
【００９０】
図１を参照して、電力消費管理システム３０１は、系統側管理装置１５１と、電力消費管理装置１０１と、複数の需要家装置２０２とを備える。
【００９１】
系統側管理装置１５１は、電力系統側である電力会社または系統運用会社等によって運用され、電力消費に関する電力管理情報を電力消費管理装置１０１へ送信する。電力管理情報は、たとえば、電力消費の目標を示す目標情報、および、日別または時間帯別の電気料金情報の少なくともいずれか一方を含む。
【００９２】
需要家装置２０２は、電力会社から電力の供給を受けるビル、工場または一般家庭等の電力需要施設に設けられている。電力会社は、たとえば発電事業者または電力小売り事業者である。
【００９３】
需要家装置２０２は、電力需要施設における電気機器の動作を制御することによって消費電力の削減を図るためのＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）等のシステムにおいて用いられる装置であり、たとえばアグリゲータによって導入される。
【００９４】
電力消費管理装置１０１は、たとえばアグリゲータによって運用され、１または複数の需要家装置２０２と通信を行なうことにより、１または複数の電力需要施設における電力消費を管理する。具体的には、電力消費管理装置１０１は、系統側管理装置１５１から電力管理情報を受信すると、受信した電力管理情報に基づいて、電力消費に関する指示情報を１または複数の需要家装置２０２に通知する指示処理を行なう。
【００９５】
たとえば、電力消費管理装置１０１は、受信した電力管理情報に基づいて、電力消費を抑制すべき節電期間、および抑制すべき電力量である抑制量を節電目標として示す指示情報を１または複数の需要家装置２０２へ通知する。なお、節電目標は、抑制すべき電力量に限らず、たとえば削減率または削減割合であってもよい。
【００９６】
また、電力消費管理装置１０１は、各需要家装置２０２における電力消費等の情報を収集して保持する。
【００９７】
なお、電力消費管理装置１０１は、系統側管理装置１５１および各需要家装置２０２と直接接続される構成に限らず、他の装置を介して系統側管理装置１５１および各需要家装置２０２と接続される構成であってもよい。
【００９８】
図２は、本発明の第１の実施の形態に係る電力消費管理システムの適用例を示す図である。
【００９９】
図２を参照して、電力会社の施設には、たとえばサーバである系統側管理装置１５１と、データベース（ＤＢ）１６２とが設けられている。アグリゲータの施設には、たとえばサーバである電力消費管理装置１０１と、データベース１６１とが設けられている。各需要家の施設には、たとえば計測装置および制御装置である需要家装置２０２と、電力メータ１７１と、電流センサ１７２と、センサ１７３と、負荷１８１とが設けられている。
【０１００】
系統側管理装置１５１は、データベース１６２に保存された情報等に基づいて、たとえば電力消費の抑制依頼として目標情報を示す電力管理情報を電力消費管理装置１０１へ送信する。
【０１０１】
電力消費管理装置１０１は、系統側管理装置１５１から受信した電力管理情報、およびデータベース１６１に保存された各種情報等に基づいて指示情報を作成し、作成した指示情報を１または複数の需要家装置２０２へ送信する。
【０１０２】
需要家装置２０２は、電力消費管理装置１０１から受信した指示情報に基づいて、負荷１８１を制御する。具体的には、たとえば、需要家装置２０２は、負荷１８１である空調の設定温度を２℃上昇させたり、負荷１８１である廊下照明をオフしたりする制御を行なう。
【０１０３】
なお、電力消費管理装置１０１は、上記のような負荷１８１の制御内容を示す指示情報を需要家装置２０２へ送信する構成であってもよい。この場合、電力消費管理装置１０１は、たとえば、上記制御内容を需要家装置２０２ごとに区別してデータベース１６１に保存する。
【０１０４】
電力メータ１７１は、たとえば需要家施設における全体の消費電力を測定し、測定結果を示す信号を需要家装置２０２へ送信する。電流センサ１７２は、たとえば需要家施設における各フロアに設けられ、フロア単位の消費電力を測定し、測定結果を示す信号を需要家装置２０２へ送信する。センサ１７３は、たとえば、需要家施設における各フロアに設けられた温度センサまたは湿度センサであり、検知結果を示す信号を需要家装置２０２へ送信する。
【０１０５】
需要家装置２０２は、たとえば電力消費管理装置１０１からの要求に応じて、負荷１８１に対する制御内容、電力メータ１７１および電流センサ１７２等の測定結果に基づく所定時間単位の消費電力量、ならびに各種センサ１７３の検知結果を示すセンサ情報を電力消費管理装置１０１へ送信する。
【０１０６】
電力消費管理装置１０１は、需要家装置２０２から取得した各種情報をデータベース１６１に保存する。また、電力消費管理装置１０１は、インターネット等から各種情報、たとえば、需要家施設の地域における気温、湿度および天候等の過去の気象情報および気象予報情報を取得してデータベース１６１に保存する。
【０１０７】
図３は、本発明の第１の実施の形態に係る電力消費管理システムにおける電力消費制御の一例を示す図である。
【０１０８】
図３を参照して、この例では、電力消費管理システム３０１は、需要家装置２０２Ａ，２０２Ｂ，２０２Ｃ，２０２Ｄを備える。
【０１０９】
まず、電力消費管理装置１０１は、電力需給の逼迫が予測される時刻ｔ１から時刻ｔ２の期間を節電イベントの節電期間として示す電力管理情報を系統側管理装置１５１から受信する。
【０１１０】
次に、電力消費管理装置１０１は、需要家装置２０２Ａ，２０２Ｂ，２０２Ｃ，２０２Ｄの中から指示情報の通知先として１または複数の需要家装置２０２を選択する。ここでは、電力消費管理装置１０１は、需要家装置２０２Ａ，２０２Ｂ，２０２Ｃの３つの需要家装置２０２を選択する。
【０１１１】
また、電力消費管理装置１０１は、長期間に亘る電力消費の抑制による各電力需要施設の負担を軽減させるため、時刻ｔ１から時刻ｔ２までの期間を、たとえば、指示情報の通知先として選択した需要家装置２０２の数、具体的には３つのサブ節電期間に分割する。そして、電力消費管理装置１０１は、分割した各サブ節電期間を、指示情報の通知先として選択した各需要家装置２０２に割り当てる。
【０１１２】
なお、電力消費管理装置１０１は、たとえば、時刻ｔ１から時刻ｔ２までの期間を所定時間ごとに区切った複数のサブ節電期間に分割し、分割した１または複数の各サブ節電期間を、指示情報の通知先として選択した複数の需要家装置２０２にそれぞれ割り当てる構成であっても良い。
【０１１３】
ここでは、電力消費管理装置１０１は、時刻ｔ１から時刻ｔ２までの期間を、期間Ａ、期間Ｂおよび期間Ｃの３つのサブ節電期間に分割し、期間Ａを需要家装置２０２Ａに割り当て、期間Ｂを需要家装置２０２Ｂに割り当て、期間Ｃを需要家装置２０２Ｃに割り当てる。
【０１１４】
次に、電力消費管理装置１０１は、各サブ節電期間における節電目標Ｇａ，Ｇｂ，Ｇｃを設定し、期間Ａおよび節電目標Ｇａを示す指示情報を需要家装置２０２Ａに通知し、期間Ｂおよび節電目標Ｇｂを示す指示情報を需要家装置２０２Ｂに通知し、期間Ｃおよび節電目標Ｇｃを示す指示情報を需要家装置２０２Ｃに通知する指示処理を行なう。
【０１１５】
次に、需要家装置２０２Ａ，２０２Ｂ，２０２Ｃは、時刻ｔ１から時刻ｔ２の期間において、電力消費管理装置１０１から受信した指示情報に従い、自己が設けられている電力需要施設の電気機器の動作を制御する。たとえば、需要家装置２０２Ａ，２０２Ｂ，２０２Ｃは、空調の設定温度を上げる等の制御を行なうことにより、消費電力の削減を図る。
【０１１６】
これにより、グラフＧＦ１およびＧＦ２で示すように、時刻ｔ１から時刻ｔ２の期間において、需要家装置２０２Ａ，２０２Ｂ，２０２Ｃ，２０２Ｄがそれぞれ設けられている電力需要施設における消費電力の合計（グラフＧＦ２）は、電力消費管理装置１０１による指示処理が行われなかったと仮定した場合における消費電力の合計（グラフＧＦ１）と比較して減少する。
【０１１７】
図４は、本発明の第１の実施の形態に係る電力消費管理システムにおける電力消費の抑制の一例を示す図である。
【０１１８】
図４を参照して、系統側管理装置１５１は、電力需給の逼迫が予想される場合、節電期間Ｂ、および節電期間Ｂにおける消費電力量の上限値である依頼電力量Ａを目標情報として示す電力管理情報を電力消費管理装置１０１へ送信する。
【０１１９】
電力消費管理装置１０１は、各電力需要施設における消費電力量の想定値の総和である想定総電力量Ｃを系統側管理装置１５１から受信するか、または保持している。想定総電力量Ｃは、たとえば、ベースラインと呼ばれる、電力消費を抑制しなかった場合の電力消費量であり、過去の電力消費データ等に基づいて算出される。
【０１２０】
想定総電力量Ｃから依頼電力量Ａを減算した結果が、電力消費管理装置１０１が配下の各需要家装置２０２に要請すべき総依頼抑制量Ｄである。
【０１２１】
図５は、本発明の第１の実施の形態に係る電力消費管理システムにおける電力消費管理装置から系統側管理装置への応答内容の一例を示す図である。
【０１２２】
図５を参照して、電力消費管理装置１０１は、系統側管理装置１５１から上記のような目標情報を受信すると、配下の各需要家装置２０２において抑制可能な電力量の想定値の総和である想定総抑制量Ｆを算出する。
【０１２３】
そして、電力消費管理装置１０１は、想定総抑制量Ｆが総依頼抑制量Ｄ以上である場合、系統側管理装置１５１からの節電要請に対して「許諾」を返答する。
【０１２４】
図６は、本発明の第１の実施の形態に係る電力消費管理システムにおける電力消費管理装置から系統側管理装置への応答内容の一例を示す図である。
【０１２５】
図６を参照して、電力消費管理装置１０１は、総依頼抑制量Ｄよりも想定総抑制量Ｆが小さい場合、系統側管理装置１５１からの節電要請に対して「非許諾」を返答する。
【０１２６】
図７は、本発明の第１の実施の形態に係る電力消費管理システムにおける電力消費管理装置の構成を示す図である。
【０１２７】
図７を参照して、電力消費管理装置１０１は、電力管理情報取得部（目標情報取得部）１１と、指示部１２と、プレ判断部１３と、予測抑制情報取得部１４と、応答部１５と、応答情報取得部１６と、判断部１７とを備える。
【０１２８】
電力管理情報取得部１１は、電力系統側から電力管理情報たとえば電力消費の目標を示す目標情報を取得し、取得した目標情報を指示部１２、プレ判断部１３、予測抑制情報取得部１４および判断部１７へ出力する。
【０１２９】
判断部１７は、電力管理情報取得部１１から受けた目標情報の示す目標であって電力需要施設における目標の達成に関する判断を行い、判断の結果を示す判断情報を応答部１５へ出力する。
【０１３０】
予測抑制情報取得部１４は、電力管理情報取得部１１から目標情報を受けて、上記目標に対する電力需要施設における電力消費の抑制を予測した内容を示す予測抑制情報を取得し、取得した予測抑制情報をプレ判断部１３および判断部１７へ出力する。
【０１３１】
判断部１７は、たとえば、予測抑制情報取得部１４から受けた予測抑制情報を判断情報とともに応答部１５へ出力する。
【０１３２】
応答部１５は、判断部１７から受けた判断情報および予測抑制情報を電力系統側たとえば系統側管理装置１５１に通知する。
【０１３３】
指示部１２は、電力管理情報取得部１１から受けた目標情報に基づいて、電力需要施設における電力消費に関する指示情報を当該電力需要施設たとえば需要家装置２０２に通知する。
【０１３４】
応答情報取得部１６は、指示部１２によって通知された指示情報に対する応答情報を電力需要施設たとえば需要家装置２０２から取得し、取得した応答情報を判断部１７へ出力する。
【０１３５】
判断部１７は、たとえば、応答情報取得部１６から受けた応答情報に基づいて、電力需要施設における目標の達成に関する判断を行なう。
【０１３６】
プレ判断部１３は、応答情報取得部１６によって応答情報が取得される前にたとえば電力管理情報取得部１１から目標情報を受けると、電力需要施設における上記目標の達成に関するプレ判断を行い、判断結果を示すプレ判断情報を応答部１５へ出力する。たとえば、プレ判断部１３は、予測抑制情報取得部１４から受けた予測抑制情報をプレ判断情報とともに応答部１５へ出力する。
【０１３７】
応答部１５は、プレ判断部１３から受けたプレ判断情報を電力系統側に通知する。たとえば、応答部１５は、プレ判断情報とともに予測抑制情報を電力系統側に通知する。
【０１３８】
また、たとえば、予測抑制情報取得部１４は、電力管理情報取得部１１から受けた目標情報に基づいて予測抑制情報を算出し、判断部１７へ出力する。
【０１３９】
判断部１７は、たとえば、予測抑制情報取得部１４から受けた予測抑制情報を判断情報とともに応答部１５へ出力する。
【０１４０】
応答部１５は、たとえば、判断部１７から受けた判断情報とともに、予測抑制情報取得部１４によって算出された予測抑制情報を電力系統側に通知する。
【０１４１】
なお、判断部１７およびプレ判断部１３は、節電目標の達成の可否という２値的な判断を行なう構成に限らず、目標達成の可能性を示すパーセンテージ等の指標を判断結果とする構成であってもよい。
【０１４２】
また、予測抑制情報は、抑制電力量を示してもよいし、抑制率または抑制割合を示してもよい。
【０１４３】
また、電力消費管理装置１０１が予測抑制情報を作成する構成に限らず、需要家装置２０２が作成して電力消費管理装置１０１へ送信する構成であってもよい。
【０１４４】
図８は、本発明の第１の実施の形態に係る電力消費管理システムにおける系統側管理装置の構成を示す図である。
【０１４５】
図８を参照して、系統側管理装置１５１は、電力管理情報取得部（目標情報取得部）３１と、情報処理部３３と、通知部３４と、判断情報取得部３５と、予測抑制情報取得部３６とを備える。
【０１４６】
電力管理情報取得部３１は、電力管理情報たとえば電力需要施設における電力消費の目標を示す目標情報を作成し、作成した目標情報を情報処理部３３へ出力する。
【０１４７】
情報処理部３３は、電力管理情報取得部３１から受けた目標情報を通知部３４へ出力する。
【０１４８】
通知部３４は、情報処理部３３から受けた目標情報を電力消費管理装置１０１に通知する。
【０１４９】
判断情報取得部３５は、電力需要施設における上記目標の達成に関する判断の結果を示す判断情報を電力消費管理装置１０１から取得し、取得した判断情報を情報処理部３３へ出力する。
【０１５０】
予測抑制情報取得部３６は、上記目標に対する電力需要施設における電力消費の抑制を予測した内容を示す予測抑制情報をたとえば電力消費管理装置１０１から取得し、取得した予測抑制情報を情報処理部３３へ出力する。
【０１５１】
情報処理部３３は、電力需要施設において上記目標が達成できない旨を示す判断情報を判断情報取得部３５から受けた場合、たとえば、予測抑制情報取得部３６から受けた予測抑制情報に基づいて、通知部３４によって通知された目標情報の内容を変更し、通知部３４へ出力する。
【０１５２】
通知部３４は、情報処理部３３から受けた変更後の目標情報を電力消費管理装置１０１に通知する。
【０１５３】
なお、電力管理情報取得部３１は、目標情報を作成する構成に限らず、予め登録された目標情報を保持する構成であってもよいし、他の装置において作成された目標情報を取得する構成であってもよい。
【０１５４】
［動作］
次に、本発明の第１の実施の形態に係る電力消費管理システムが電力消費の抑制を行なう際の動作について説明する。
【０１５５】
電力消費管理システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１５６】
図９は、本発明の第１の実施の形態に係る電力消費管理システムにおける電力消費抑制処理のシーケンスの一例を示す図である。
【０１５７】
図９を参照して、まず、系統側管理装置１５１は、電力需要を予測し、電力需給が逼迫する可能性が高い場合、電力消費の抑制を行なうべきであると判断する（ステップＳ１）。
【０１５８】
より詳細には、系統側管理装置１５１は、たとえば、既知の需要予測技術を用いて、具体的にはニュートラルネットワークまたは自己回帰分析等の技術を用いて、全体的な電力需要を予測する。あるいは、系統側管理装置１５１は、たとえば、過去Ｘ日分の消費電力量のデータから、特異日を除いたＹ日分の消費電力量の平均値を算出する。
【０１５９】
次に、系統側管理装置１５１は、たとえば、節電期間および当該節電期間における消費電力量の上限値を目標値として示す電力管理情報を電力消費管理装置１０１へ送信する（ステップＳ２）。なお、目標情報の示す節電目標は、抑制すべき電力量に限らず、たとえば削減率または削減割合であってもよいし、節電期間中の消費電力量の上限値等であってもよい。
【０１６０】
次に、電力消費管理装置１０１は、系統側管理装置１５１から電力管理情報を受信して、受信した電力管理情報の示す節電目標を達成できるか否かのプレ判断を行なう（ステップＳ３）。
【０１６１】
次に、電力消費管理装置１０１は、節電目標を達成できると判断し、「許諾」を示すプレ判断情報を系統側管理装置１５１へ送信する（ステップＳ４）。
【０１６２】
また、電力消費管理装置１０１は、電力管理情報の示す節電目標に基づいて需要家装置２０２ごとの節電目標を示す指示情報を作成し、配下の各需要家装置２０２へ送信する（ステップＳ５およびＳ６）。
【０１６３】
次に、各需要家装置２０２は、電力消費管理装置１０１から指示情報を受信して、受信した指示情報の示す節電目標の受け入れの可否を判断し（ステップＳ７およびＳ８）、受け入れ可であると判断すると、「許諾」を示す応答情報を電力消費管理装置１０１へ送信する（ステップＳ９およびＳ１０）。
【０１６４】
より詳細には、需要家装置２０２は、たとえば、指示情報の示す節電目標をユーザに提示し、ユーザが、当該節電目標を受け入れるか否かを判断し、需要家装置２０２に対して応答情報の内容を指示する。あるいは、需要家装置２０２は、たとえば、予め設定された閾値と指示情報の示す節電目標の値とを比較し、比較結果に基づいて当該節電目標を受け入れるか否かを判断する。
【０１６５】
次に、電力消費管理装置１０１は、各需要家装置２０２から受信した応答情報に基づいて、系統側管理装置１５１から受信した電力管理情報の示す節電目標を達成できるか否かの判断を行なう。ここでは、電力消費管理装置１０１は、各需要家装置２０２から「許諾」を示す応答情報を受信して、節電目標を達成できると判断し（ステップＳ１１）、「許諾」を示す判断情報を系統側管理装置１５１へ送信する（ステップＳ１２）。
【０１６６】
次に、各需要家装置２０２は、指示情報の示す節電期間において、節電目標を満たすように、自己が設けられた需要家施設における電気機器の動作を制御する（ステップＳ１３およびＳ１４）。
【０１６７】
図１０は、本発明の第１の実施の形態に係る電力消費管理システムにおける電力消費抑制処理のシーケンスの一例を示す図である。
【０１６８】
図１０を参照して、ステップＳ２１〜Ｓ２６の動作は、図９に示すステップＳ１〜Ｓ６の動作と同様である。
【０１６９】
次に、各需要家装置２０２は、電力消費管理装置１０１から指示情報を受信して、受信した指示情報の示す節電目標を受け入れるか否かの判断を行なう（ステップＳ２７およびＳ２８）。
【０１７０】
ここでは、ある需要家装置２０２が、受信した指示情報の示す節電目標を受け入れ可であると判断し、「許諾」を示す応答情報を電力消費管理装置１０１へ送信する（ステップＳ２９）。一方、他の需要家装置２０２が、受信した指示情報の示す節電目標を受け入れ不可であると判断し、「非許諾」を示す応答情報を電力消費管理装置１０１へ送信する（ステップＳ３０）。
【０１７１】
次に、電力消費管理装置１０１は、需要家装置２０２から「非許諾」を示す応答情報を受信して、節電目標を達成できないと判断し（ステップＳ３１）、「非許諾」を示す判断情報を系統側管理装置１５１へ送信する（ステップＳ３２）。
【０１７２】
次に、系統側管理装置１５１は、電力消費管理装置１０１から「非許諾」を示す判断情報を受信して、需給改善処理を行なう（ステップＳ３３）。
【０１７３】
より詳細には、系統側管理装置１５１は、需給改善処理として、たとえば、電力管理情報を他の電力消費管理装置１０１へ送信することにより、他のアグリゲータに電力消費の抑制の一部または全部を依頼する処理を行なうか、電力会社等の所有する発電機による発電を準備するための処理を行なうか、または電力会社等の所有する蓄電池の充電を開始するための処理を行なう。なお、系統側管理装置１５１は、これらの複数の処理を並行して行なう構成であってもよい。
【０１７４】
また、電力消費管理装置１０１は、需要家装置２０２から「非許諾」を示す応答情報を受信した場合、「非許諾」を示す判断情報をただちに系統側管理装置１５１へ送信する（ステップＳ３２）構成に限らず、指示情報の送信先として選択しなかった需要家装置２０２が配下に存在する場合、当該需要家装置２０２へ指示情報を送信する構成であってもよい。これにより、系統側管理装置１５１へ「非許諾」を示す判断情報を送信することなく、電力消費の抑制のためのリソースを早期に確保し、電力消費管理システム３０１における節電目標の達成のための準備を完了することができる。
【０１７５】
図１１は、本発明の第１の実施の形態に係る電力消費管理システムにおける電力消費抑制処理のシーケンスの一例を示す図である。
【０１７６】
図１１を参照して、ステップＳ４１〜Ｓ４２の動作は、図９に示すステップＳ１〜Ｓ２の動作と同様である。
【０１７７】
次に、電力消費管理装置１０１は、系統側管理装置１５１から電力管理情報を受信して、受信した電力管理情報の示す節電目標を達成できるか否かのプレ判断を行なう（ステップＳ４３）。
【０１７８】
次に、電力消費管理装置１０１は、節電目標を達成できないと判断し、「非許諾」を示すプレ判断情報を系統側管理装置１５１へ送信する（ステップＳ４４）。
【０１７９】
また、電力消費管理装置１０１は、電力管理情報の示す節電目標に基づいて需要家装置２０２ごとの節電目標を示す指示情報を作成し、配下の各需要家装置２０２へ送信する（ステップＳ４５およびＳ４６）。
【０１８０】
次に、系統側管理装置１５１は、電力消費管理装置１０１から「非許諾」を示すプレ判断情報を受信して、需給改善処理を行なう（ステップＳ４７）。
【０１８１】
また、各需要家装置２０２は、電力消費管理装置１０１から指示情報を受信して、受信した指示情報の示す節電目標を受け入れるか否かの判断を行なう（ステップＳ４８およびＳ４９）。
【０１８２】
ここでは、ある需要家装置２０２が、受信した指示情報の示す節電目標を受け入れ可であると判断し、「許諾」を示す応答情報を電力消費管理装置１０１へ送信する（ステップＳ５０）。一方、他の需要家装置２０２が、受信した指示情報の示す節電目標を受け入れ不可であると判断し、「非許諾」を示す応答情報を電力消費管理装置１０１へ送信する（ステップＳ５１）。
【０１８３】
次に、電力消費管理装置１０１は、需要家装置２０２から「非許諾」を示す応答情報を受信して、節電目標を達成できないと判断し（ステップＳ５２）、「非許諾」を示す判断情報を系統側管理装置１５１へ送信する（ステップＳ５３）。
【０１８４】
次に、系統側管理装置１５１は、電力消費管理装置１０１から「非許諾」を示す判断情報を受信して、需給改善処理を継続する（ステップＳ５４）。
【０１８５】
図１２は、本発明の第１の実施の形態に係る電力消費管理システムにおける電力消費抑制処理のシーケンスの一例を示す図である。
【０１８６】
図１２を参照して、ステップＳ６１〜Ｓ６６の動作は、図１１に示すステップＳ４１〜Ｓ４６の動作と同様である。
【０１８７】
次に、各需要家装置２０２は、電力消費管理装置１０１から指示情報を受信して、受信した指示情報の示す節電目標の受け入れの可否を判断し（ステップＳ６８およびＳ６９）、受け入れ可であると判断すると、「許諾」を示す応答情報を電力消費管理装置１０１へ送信する（ステップＳ７０およびＳ７１）。
【０１８８】
次に、電力消費管理装置１０１は、各需要家装置２０２から受信した応答情報に基づいて、系統側管理装置１５１から受信した電力管理情報の示す節電目標を達成できるか否かの判断を行なう。ここでは、電力消費管理装置１０１は、各需要家装置２０２から「許諾」を示す応答情報を受信して、節電目標を達成できると判断し（ステップＳ７２）、「許諾」を示す判断情報を系統側管理装置１５１へ送信する（ステップＳ７３）。
【０１８９】
次に、系統側管理装置１５１は、電力消費管理装置１０１から「許諾」を示す判断情報を受信して、需給改善処理を中止する（ステップＳ７４）。
【０１９０】
次に、各需要家装置２０２は、指示情報の示す節電期間において、節電目標を満たすように、自己が設けられた需要家施設における電気機器の動作を制御する（ステップＳ７５およびＳ７６）。
【０１９１】
図１３は、本発明の第１の実施の形態に係る電力消費管理システムにおける電力消費抑制処理のシーケンスの一例を示す図である。
【０１９２】
図１３を参照して、ステップＳ８１〜Ｓ８２の動作は、図９に示すステップＳ１〜Ｓ２の動作と同様である。
【０１９３】
次に、電力消費管理装置１０１は、系統側管理装置１５１から電力管理情報を受信して、受信した電力管理情報の示す節電目標を達成できるか否かのプレ判断を行なう。具体的には、電力消費管理装置１０１は、たとえば、前述のように配下の各需要家装置２０２において抑制可能な電力量の想定値の総和である想定総抑制量Ｆを算出し、配下の各需要家装置２０２に要請すべき総依頼抑制量Ｄとの比較を行なう（ステップＳ８３）。
【０１９４】
次に、電力消費管理装置１０１は、総依頼抑制量Ｄよりも想定総抑制量Ｆが小さい場合、節電目標を達成できないと判断し、「非許諾」を示すプレ判断情報に加えて、想定総抑制量Ｆを示す予測抑制情報を系統側管理装置１５１へ送信する（ステップＳ８４）。この場合、たとえば、電力消費管理装置１０１は、配下の各需要家装置２０２への指示情報の送信を行なわない。
【０１９５】
次に、系統側管理装置１５１は、電力消費管理装置１０１から「非許諾」を示すプレ判断情報を受信して、需給改善処理を行なう（ステップＳ８５）。
【０１９６】
たとえば、系統側管理装置１５１は、前回送信した電力管理情報の内容を変更する（ステップＳ８６）。より詳細には、系統側管理装置１５１は、前回電力消費管理装置１０１に要求した値よりも小さい総依頼抑制量Ｄ、たとえば電力消費管理装置１０１から通知された想定総抑制量Ｆを総依頼抑制量Ｄとして示す電力管理情報を作成して電力消費管理装置１０１へ送信する（ステップＳ８７）。
【０１９７】
なお、系統側管理装置１５１は、需給改善処理として、このような電力管理情報の変更処理と前述した１または複数の処理とを並行して行なう構成であってもよい。
【０１９８】
次に、電力消費管理装置１０１は、系統側管理装置１５１から変更後の電力管理情報を受信して、受信した電力管理情報の示す節電目標を達成できるか否かのプレ判断を行なう（ステップＳ８８）。
【０１９９】
次に、電力消費管理装置１０１は、総依頼抑制量Ｄが軽減されて想定総抑制量Ｆ以下となっていることから節電目標を達成できると判断し、「許諾」を示すプレ判断情報を系統側管理装置１５１へ送信する（ステップＳ８９）。
【０２００】
また、電力消費管理装置１０１は、変更後の電力管理情報の示す節電目標に基づいて需要家装置２０２ごとの節電目標を示す指示情報を作成し、配下の各需要家装置２０２へ送信する（ステップＳ９０およびＳ９１）。
【０２０１】
ステップＳ９２〜Ｓ９９の動作は、図９に示すステップＳ７〜Ｓ１４の動作と同様である。
【０２０２】
図１４は、本発明の第１の実施の形態に係る電力消費管理システムにおける電力消費抑制処理のシーケンスの一例を示す図である。
【０２０３】
図１４を参照して、ステップＳ１０１〜Ｓ１０２の動作は、図１３に示すステップＳ８１〜Ｓ８２の動作と同様である。
【０２０４】
次に、電力消費管理装置１０１は、系統側管理装置１５１から電力管理情報を受信して、受信した電力管理情報の示す節電目標を達成できるか否かのプレ判断を行なう。具体的には、電力消費管理装置１０１は、たとえば、前述のように配下の各需要家装置２０２において抑制可能な電力量の想定値の総和である想定総抑制量Ｆを算出し、配下の各需要家装置２０２に要請すべき総依頼抑制量Ｄとの比較を行なう（ステップＳ１０３）。
【０２０５】
次に、電力消費管理装置１０１は、想定総抑制量Ｆが総依頼抑制量Ｄ以上である場合、節電目標を達成できると判断し、「許諾」を示すプレ判断情報を系統側管理装置１５１へ送信する（ステップＳ１０４）。
【０２０６】
また、電力消費管理装置１０１は、電力管理情報の示す節電目標に基づいて需要家装置２０２ごとの節電目標を示す指示情報を作成し、配下の各需要家装置２０２へ送信する（ステップＳ１０５およびＳ１０６）。
【０２０７】
次に、各需要家装置２０２は、電力消費管理装置１０１から指示情報を受信して、受信した指示情報の示す節電目標を受け入れるか否かの判断を行なう（ステップＳ１０７およびＳ１０８）。
【０２０８】
ここでは、ある需要家装置２０２が、受信した指示情報の示す節電目標を受け入れ可であると判断し、「許諾」を示す応答情報を電力消費管理装置１０１へ送信する（ステップＳ１０９）。一方、他の需要家装置２０２が、受信した指示情報の示す節電目標を受け入れ不可であると判断し、「非許諾」を示す応答情報を電力消費管理装置１０１へ送信する（ステップＳ１１０）。
【０２０９】
次に、電力消費管理装置１０１は、需要家装置２０２から「非許諾」を示す応答情報を受信して、想定総抑制量Ｆから当該需要家装置２０２の想定抑制量を減算した値を新たな想定総抑制量Ｆとする。そして、電力消費管理装置１０１は、更新した想定総抑制量Ｆと総依頼抑制量Ｄとの比較を行い、総依頼抑制量Ｄよりも想定総抑制量Ｆが小さい場合、節電目標を達成できないと判断し（ステップＳ１１１）、「非許諾」を示す判断情報に加えて、更新後の想定総抑制量Ｆを示す予測抑制情報を系統側管理装置１５１へ送信する（ステップＳ１１２）。
【０２１０】
次に、系統側管理装置１５１は、電力消費管理装置１０１から「非許諾」を示す判断情報を受信して、需給改善処理を行なう（ステップＳ１１３）。
【０２１１】
たとえば、系統側管理装置１５１は、前回送信した電力管理情報の内容を変更する（ステップＳ１１４）。より詳細には、系統側管理装置１５１は、前回電力消費管理装置１０１に要求した値よりも小さい総依頼抑制量Ｄ、たとえば電力消費管理装置１０１から通知された想定総抑制量Ｆを総依頼抑制量Ｄとして示す電力管理情報を作成して電力消費管理装置１０１へ送信する（ステップＳ１１５）。
【０２１２】
なお、系統側管理装置１５１は、需給改善処理として、このような電力管理情報の変更処理と前述した１または複数の処理とを並行して行なう構成であってもよい。
【０２１３】
次に、電力消費管理装置１０１は、系統側管理装置１５１から変更後の電力管理情報を受信して、受信した電力管理情報の示す節電目標を達成できるか否かのプレ判断を行なう（ステップＳ１１６）。
【０２１４】
次に、電力消費管理装置１０１は、総依頼抑制量Ｄが軽減されて想定総抑制量Ｆ以下となっていることから節電目標を達成できると判断し、「許諾」を示すプレ判断情報を系統側管理装置１５１へ送信する（ステップＳ１１７）。
【０２１５】
また、電力消費管理装置１０１は、変更後の電力管理情報の示す節電目標に基づいて需要家装置２０２ごとの節電目標を示す指示情報を作成し、配下の各需要家装置２０２へ送信する（ステップＳ１１８およびＳ１１９）。
【０２１６】
ステップＳ１２０〜Ｓ１２７の動作は、図１３に示すステップＳ９２〜Ｓ９９の動作と同様である。
【０２１７】
図１５は、本発明の第１の実施の形態に係る電力消費管理装置による電力管理情報の処理の手順を定めたフローチャートである。
【０２１８】
図１５を参照して、まず、電力消費管理装置１０１は、節電期間Ｂ、および節電期間Ｂにおける消費電力量の上限値である依頼電力量Ａを示す電力管理情報を系統側管理装置１５１から受信する（ステップＳ３０１）。
【０２１９】
次に、電力消費管理装置１０１は、節電期間Ｂにおける配下の各電力需要施設における想定総電力量Ｃを算出する（ステップＳ３０２）。
【０２２０】
次に、電力消費管理装置１０１は、想定総電力量Ｃが依頼電力量Ａよりも大きい場合には（ステップＳ３０３でＹＥＳ）、想定総電力量Ｃから依頼電力量Ａを減算した値を、配下の各需要家装置２０２に要請すべき電力量の総和すなわち総依頼抑制量Ｄとする（ステップＳ３０４）。
【０２２１】
次に、電力消費管理装置１０１は、配下の各電力需要施設における消費電力の想定抑制量、すなわち需要家装置２０２ごとの想定抑制量Ｋを算出する（ステップＳ３０５）。
【０２２２】
次に、電力消費管理装置１０１は、消費電力の抑制を依頼する需要家装置２０２を選択し、選択した需要家装置２０２に対する依頼抑制量Ｌを算出する（ステップＳ３０６）。
【０２２３】
より詳細には、電力消費管理装置１０１は、選択した需要家装置２０２に対しては対応の想定抑制量Ｋを依頼抑制量Ｌとして設定し、選択しなかった需要家装置２０２に対しては依頼抑制量Ｌとしてゼロを設定する。
【０２２４】
次に、電力消費管理装置１０１は、配下の各需要家装置２０２に対する依頼抑制量Ｌの合計を算出することにより、配下の各需要家装置２０２において抑制可能な電力量の想定値の総和である想定総抑制量Ｆを算出する（ステップＳ３０７）。
【０２２５】
一方、電力消費管理装置１０１は、想定総電力量Ｃが依頼電力量Ａ以下である場合には（ステップＳ３０３でＮＯ）、総依頼抑制量Ｄとしてゼロを設定する（ステップＳ３０８）。
【０２２６】
次に、電力消費管理装置１０１は、想定総抑制量Ｆが総依頼抑制量Ｄ以上である場合には（ステップＳ３０９でＹＥＳ）、「許諾」を示すプレ判断情報を系統側管理装置１５１へ送信する（ステップＳ３１０）。
【０２２７】
一方、電力消費管理装置１０１は、想定総抑制量Ｆが総依頼抑制量Ｄ未満である場合には（ステップＳ３０９でＮＯ）、「非許諾」を示すプレ判断情報および想定総抑制量Ｆを系統側管理装置１５１へ送信する（ステップＳ３１１）。
【０２２８】
次に、電力消費管理装置１０１は、選択した各需要家装置２０２の設置された電力需要施設における想定電力量Ｍを算出する。そして、電力消費管理装置１０１は、選択した需要家装置２０２ごとに、想定電力量Ｍから依頼抑制量Ｌを減算した値を依頼電力量Ｅとして算出する（ステップＳ３１２）。
【０２２９】
次に、電力消費管理装置１０１は、需要家装置２０２ごとに設定された依頼電力量Ｅおよびサブ節電期間を示す指示情報を各需要家装置２０２へ送信する（ステップＳ３１３）。
【０２３０】
次に、電力消費管理装置１０１は、各需要家装置２０２から指示情報に対する応答情報を受信し（ステップＳ３１４）、各応答情報の内容に基づいて、配下の各需要家装置２０２において抑制可能な電力量の想定値の総和である想定総抑制量を再計算する（ステップＳ３１５）。
【０２３１】
より詳細には、電力消費管理装置１０１は、想定総抑制量の再計算において、たとえば、指示情報の送信先でない需要家装置２０２に対しては過去の抑制量の実績値を加算対象とし、指示情報の送信先であって「許諾」を示す応答情報を送信してきた需要家装置２０２に対しては対応の想定抑制量Ｋを加算対象とし、指示情報の送信先であって「非許諾」を示す応答情報を送信してきた需要家装置２０２に対してはゼロを加算対象とする。
【０２３２】
あるいは、電力消費管理装置１０１は、想定総抑制量の再計算において、たとえば、指示情報の送信先でない需要家装置２０２に対しては節電時における負荷１８１に対する制御内容と需要家装置２０２の設置された電力需要施設における気象予報情報とに基づいて算出した想定抑制量Ｋを加算対象とし、指示情報の送信先であって「許諾」を示す応答情報を送信してきた需要家装置２０２に対しては対応の想定抑制量Ｋを加算対象とし、指示情報の送信先であって「非許諾」を示す応答情報を送信してきた需要家装置２０２に対してはゼロを加算対象とする。
【０２３３】
次に、電力消費管理装置１０１は、想定総抑制量の再計算結果である想定総抑制量Ｇが総依頼抑制量Ｄ以上である場合には（ステップＳ３１６でＹＥＳ）、「許諾」を示す判断情報を系統側管理装置１５１へ送信する（ステップＳ３１７）。
【０２３４】
一方、電力消費管理装置１０１は、想定総抑制量Ｇが総依頼抑制量Ｄ未満である場合には（ステップＳ３１６でＮＯ）、「非許諾」を示す判断情報を系統側管理装置１５１へ送信する（ステップＳ３１８）。
【０２３５】
以下、電力需要施設の選択および想定総抑制量の算出の具体例について詳細に説明する。
【０２３６】
電力消費管理装置１０１は、たとえば以下の（Ａ１）〜（Ａ３）および（Ｂ）のいずれかの方法を用いる。
【０２３７】
方法（Ａ１）〜（Ａ３）では、電力消費管理装置１０１は、各電力需要施設における過去の抑制量の実績値に基づいて、電力需要施設すなわち需要家装置２０２の選択および想定総抑制量Ｆの算出を行なう。
【０２３８】
より詳細には、電力消費管理装置１０１は、各電力需要施設において過去に実際に行われた抑制量を所定時間たとえば３０分単位で集計し、この単位時間ごとに抑制量の平均値、分散値または最大値を算出する。
【０２３９】
（Ａ１）節電期間Ｂの時間帯、たとえば１３：００〜１６：００の時間帯における単位時間当たりの抑制量の平均値の総和（以下、平均総和とも称する。）を求め、平均総和が大きい電力需要施設から順に選択していき、選択したＮ件（Ｎは１以上の整数）の電力需要施設の平均総和の合計が総依頼抑制量Ｄを超えるまで電力需要施設を選択する。そして、選択したＮ件分の平均総和の合計を想定総抑制量Ｆとして算出する。このように、平均総和が大きい電力需要施設から順に選択することにより、電力需要施設の選択の妥当性を高めることができる。
【０２４０】
（Ａ２）節電期間Ｂの時間帯、たとえば１３：００〜１６：００の時間帯における単位時間当たりの抑制量の分散値の総和を求め、当該総和が小さい電力需要施設から順に選択していき、選択したＮ件（Ｎは１以上の整数）の電力需要施設の平均総和の合計が総依頼抑制量Ｄを超えるまで電力需要施設を選択する。そして、選択したＮ件分の平均総和の合計を想定総抑制量Ｆとして算出する。このように、分散値の総和が小さい電力需要施設から順に選択することにより、抑制量のばらつきにより各電力需要施設における抑制量の総和が総依頼抑制量Ｄを超えなくなる事態の発生を抑制することができる。
【０２４１】
（Ａ３）節電期間Ｂの時間帯、たとえば１３：００〜１６：００の時間帯における単位時間当たりの抑制量の最大値の総和を求め、当該総和が大きい電力需要施設から順に選択していき、選択したＮ件（Ｎは１以上の整数）の電力需要施設の平均総和の合計が総依頼抑制量Ｄを超えるまで電力需要施設を選択する。そして、選択したＮ件分の平均総和の合計を想定総抑制量Ｆとして算出する。このように、最大値が大きい電力需要施設から順に選択することにより、選択される電力需要施設の数をより少なくすることができる。
【０２４２】
方法（Ｂ）では、電力消費管理装置１０１は、予測に基づいて、電力需要施設すなわち需要家装置２０２の選択および想定総抑制量Ｆの算出を行なう。
【０２４３】
より詳細には、電力消費管理装置１０１は、たとえば、電力消費の非抑制依頼時における過去の消費電力量の実績、当該実績の得られたときの気象情報、および節電期間Ｂにおける気象予報情報に基づいて、節電期間Ｂにおける電力需要施設ごとの想定電力量Ｍを算出する。
【０２４４】
具体的には、電力消費管理装置１０１は、たとえば、気象予報情報から電力需要施設における負荷１８１の制御内容を予測することにより、節電期間Ｂにおける電力需要施設の想定電力量Ｍを算出する。各電力需要施設の想定電力量Ｍの総和を算出することにより、想定総電力量Ｃが得られる。
【０２４５】
次に、電力消費管理装置１０１は、たとえば、節電期間Ｂにおいて想定される負荷１８１に対する制御内容と電力需要施設における気象予報情報とに基づいて電力需要施設ごとの想定抑制量Ｋを算出する。上記制御内容は、たとえば、需要家装置２０２から取得した抑制依頼時における負荷１８１に対する制御内容から得られる。
【０２４６】
次に、電力消費管理装置１０１は、想定電力量Ｍから想定抑制量Ｋを減算することにより、節電期間Ｂにおける節電時想定電力量を算出する。各電力需要施設の節電時想定電力量の総和を算出することにより、節電期間Ｂにおける節電時想定総電力量が得られる。
【０２４７】
次に、電力消費管理装置１０１は、節電期間Ｂにおける想定抑制量Ｋの大きい電力需要施設から順に選択していき、選択したＮ件（Ｎは１以上の整数）の電力需要施設の想定抑制量Ｋの合計が総依頼抑制量Ｄを超えるまで電力需要施設を選択する。そして、選択したＮ件分の想定抑制量Ｋの合計を想定総抑制量Ｆとして算出する。
【０２４８】
なお、上記方法（Ａ１）〜（Ａ３）および（Ｂ）において、上記合計が総依頼抑制量Ｄを超える前に、新たに選択可能な電力需要施設が存在しなくなった場合、電力消費管理装置１０１は、「非許諾」を示すプレ判断情報を系統側管理装置１５１へ送信する。
【０２４９】
また、電力消費管理装置１０１は、電力消費の抑制を依頼する需要家装置２０２として、上記合計が総依頼抑制量Ｄを超えるために最低限必要な１または複数の需要家装置２０２を選択する構成に限らず、配下の全需要家装置２０２等、需要家装置２０２を余分に選択する構成であってもよい。これにより、「非許諾」を示す応答情報を送信してくる需要家装置２０２が存在した場合でも、想定総抑制量Ｇが総依頼抑制量Ｄ未満となる事態の発生を抑制することができる。また、各需要家装置２０２から受信した応答情報の内容から、消費電力の抑制を依頼する必要のなくなった需要家装置２０２に対しては、電力消費管理装置１０１から当該需要家装置２０２に対して指示情報のキャンセルを通知すればよい。
【０２５０】
以下、電力需要施設すなわち需要家装置２０２の選択対象からの除外処理の具体例について詳細に説明する。
【０２５１】
電力消費管理装置１０１は、たとえば、過去Ｎ回（Ｎは１以上の整数）連続で選択された電力需要施設は除外した上で、上記方法（Ａ１）〜（Ａ３）および（Ｂ）のいずれかに従い、電力需要施設の選択および想定総抑制量Ｆの算出を行なう。
【０２５２】
あるいは、電力消費管理装置１０１は、たとえば、過去Ｍ回（Ｍは１以上の整数）のうち、Ｎ回（Ｎは１以上の整数、Ｍ＞Ｎ）以上選択された電力需要施設は除外した上で、上記方法（Ａ１）〜（Ａ３）および（Ｂ）のいずれかに従い、電力需要施設の選択および想定総抑制量Ｆの算出を行なう。
【０２５３】
このような選択除外処理により、節電対象として特定の電力需要施設に偏って選択されるという不公平を防ぎ、需要家間の公平性を向上させることができる。
【０２５４】
なお、本発明の第１の実施の形態に係る電力消費管理システムでは、系統側管理装置１５１は、依頼電力量Ａを目標情報として示す電力管理情報を電力消費管理装置１０１へ送信する構成であるとしたが、これに限定するものではない。系統側管理装置１５１は、節電期間Ｂにおける電力消費管理装置１０１の配下の各需要家装置２０２における想定総電力量Ｃを算出し、想定総電力量Ｃから依頼電力量Ａを減算した値である総依頼抑制量Ｄを目標情報として示す電力管理情報を電力消費管理装置１０１へ送信する構成であってもよい。
【０２５５】
また、本発明の第１の実施の形態に係る電力消費管理システムでは、電力消費管理装置１０１は、需要家装置２０２ごとの依頼電力量Ｅを示す指示情報を当該需要家装置２０２へ送信する構成であるとしたが、これに限定するものではない。電力消費管理装置１０１は、需要家装置２０２ごとの依頼抑制量Ｌを示す指示情報を当該需要家装置２０２へ送信する構成であってもよい。
【０２５６】
また、本発明の第１の実施の形態に係る電力消費管理システムでは、電力消費管理装置１０１は、想定総抑制量Ｆを示す予測抑制情報を系統側管理装置１５１へ送信する構成であるとしたが、これに限定するものではない。電力消費管理装置１０１は、節電期間Ｂにおける各電力需要施設の節電時想定電力量の総和である節電時想定総電力量を示す予測抑制情報を系統側管理装置１５１へ送信する構成であってもよい。
【０２５７】
また、本発明の第１の実施の形態に係る電力消費管理システムでは、電力消費管理装置１０１は、判断部およびプレ判断部を備える構成であるとしたが、これに限定するものではない。電力消費管理装置１０１は、判断部およびプレ判断部のいずれか一方を備え、判断情報およびプレ判断情報のいずれか一方を系統側管理装置１５１へ送信する構成であってもよい。
【０２５８】
このような構成でも、電力需要施設における電力消費を管理するとともに、電力系統側において電力需給の管理を良好に行なう、という本発明の目的を達成することが可能である。
【０２５９】
また、電力消費管理装置１０１は、電力管理情報の受信に応答してプレ判断情報をただちに系統側管理装置１５１へ送信する構成に限らず、たとえばプレ判断情報を作成してから所定時間待機し、各需要家装置２０２からの応答情報が当該所定時間以内に到着した場合、プレ判断情報を送信せずに判断情報を系統側管理装置１５１へ送信する構成であってもよい。すなわち、応答部１５は、プレ判断部１３から受けたプレ判断情報を電力系統側に通知可能であればよい。
【０２６０】
また、本発明の第１の実施の形態に係る電力消費管理システムでは、電力消費管理装置１０１は、プレ判断情報および判断情報の各々とともに予測抑制情報を系統側管理装置１５１へ送信する構成であるとしたが、これに限定するものではない。電力消費管理装置１０１は、プレ判断情報および判断情報のいずれか一方とともに予測抑制情報を系統側管理装置１５１へ送信する構成であってもよい。また、プレ判断情報とともに送信される予測抑制情報、および判断情報とともに送信される予測抑制情報は同じ内容であってもよい。
【０２６１】
また、本発明の第１の実施の形態に係る電力消費管理システムでは、電力消費管理装置１０１は、各需要家装置２０２からの応答情報に基づいて予測抑制情報を作成する構成であるとしたが、これに限定するものではない。電力消費管理装置１０１は、たとえば収集した他の情報に基づいて予測抑制情報を作成する構成であってもよい。
【０２６２】
また、本発明は、電力消費管理装置を１つ備える電力消費管理システムに限らず、階層化された複数の電力消費管理装置を備える電力消費管理システムに適用することも可能である。
【０２６３】
ところで、電力需要施設の需要家が節電要請の対象期間において当該節電要請に従った電力消費の抑制を行なうことが困難な場合もある。このような場合、系統側事業者は、電力需給の逼迫に対して新たな対策を講じる必要が生じる。
【０２６４】
これに対して、本発明の第１の実施の形態に係る電力消費管理装置では、電力管理情報取得部１１は、電力系統側から電力消費の目標を示す目標情報を取得する。判断部１７は、電力需要施設における上記目標の達成に関する判断を行なう。予測抑制情報取得部１４は、上記目標に対する電力需要施設における電力消費の抑制を予測した内容を示す予測抑制情報を取得する。そして、応答部１５は、判断部１７の判断結果を示す判断情報、および予測抑制情報を電力系統側に通知する。
【０２６５】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、上記判断結果と合わせて電力需要施設において想定される電力消費の抑制内容を電力系統側に通知する構成により、電力系統側は、より適切な対策を講じることができる。また、電力系統側は、次回の節電要請においてより的確な目標を設定することができる。すなわち、電力需給の改善をより確実に実現可能なシステムを提供することができる。
【０２６６】
したがって、本発明の第１の実施の形態に係る電力消費管理装置では、電力需要施設における電力消費を管理するとともに、電力系統側において電力需給の管理を良好に行なうことができる。
【０２６７】
また、本発明の第１の実施の形態に係る電力消費管理装置では、指示部１２は、目標情報に基づいて、電力需要施設における電力消費に関する指示情報を当該電力需要施設に通知する。応答情報取得部１６は、指示情報に対する応答情報を電力需要施設から取得する。判断部１７は、応答情報に基づいて上記判断を行なう。プレ判断部１３は、応答情報が取得される前に、電力需要施設における上記目標の達成に関する判断を行なう。そして、応答部１５は、プレ判断部１３の判断結果を示すプレ判断情報を電力系統側に通知可能である。
【０２６８】
このような構成により、電力消費の目標の達成に関する判断結果をより早いタイミングで電力系統側に通知することができるため、電力需要施設において当該目標に沿った電力消費の抑制を行なうことが困難であると想定される場合に、電力系統側において早期に次の対策を講じることが可能となる。そして、電力消費の抑制依頼に対する電力需要施設からの実際の応答内容に基づく判断結果を電力系統側に通知する構成により、電力系統側は、電力需要施設における電力消費の目標達成の可否をより高い確度で知ることができる。
【０２６９】
また、本発明の第１の実施の形態に係る電力消費管理装置では、応答部１５は、プレ判断情報とともに予測抑制情報を電力系統側に通知可能である。
【０２７０】
このような構成により、電力消費の目標の達成に関する判断結果および電力需要施設において想定される電力消費の抑制内容をより早いタイミングで電力系統側に通知することができるため、電力系統側は、より適切な対策を早期に講じることができる。また、電力系統側は、より的確な目標を設定した次回の節電要請を早期に行なうことができる。
【０２７１】
また、本発明の第１の実施の形態に係る電力消費管理装置では、予測抑制情報取得部１４は、応答情報に基づいて予測抑制情報を算出する。そして、応答部１５は、判断情報とともに、算出された予測抑制情報を電力系統側に通知する。
【０２７２】
このような構成により、電力消費の抑制依頼に対する電力需要施設からの実際の応答内容に基づいて電力需要施設における電力消費の抑制内容をより正確に予測し、電力系統側に通知することができるため、電力系統側においてより適切な対策を講じることができる。また、電力系統側は、次回の節電要請においてより的確な目標を設定することができる。
【０２７３】
なお、本発明の第１の実施の形態に係る電力消費管理システムでは、電力消費管理装置１０１は、予測抑制情報取得部１４によって取得された予測抑制情報を系統側管理装置１５１へ送信する構成であるとしたが、これに限定するものではない。電力消費管理装置１０１は、予測抑制情報取得部１４を備えず、予測抑制情報を系統側管理装置１５１へ送信しない構成であってもよい。このような構成でも、本発明の目的を達成することが可能である。
【０２７４】
すなわち、本発明の第１の実施の形態に係る電力消費管理装置では、電力管理情報取得部１１は、電力系統側から電力消費の目標を示す目標情報を取得する。判断部１７は、電力需要施設における上記目標の達成に関する判断を行なう。応答部１５は、判断部１７の判断結果を示す判断情報を電力系統側に通知する。指示部１２は、目標情報に基づいて、電力需要施設における電力消費に関する指示情報を当該電力需要施設に通知する。応答情報取得部１６は、指示情報に対する応答情報を電力需要施設から取得する。判断部１７は、応答情報に基づいて上記判断を行なう。プレ判断部１３は、応答情報が取得される前に、電力需要施設における上記目標の達成に関する判断を行なう。そして、応答部１５は、プレ判断部１３の判断結果を示すプレ判断情報を電力系統側に通知可能である。
【０２７５】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、電力消費の目標の達成に関する判断結果をより早いタイミングで電力系統側に通知することができるため、電力需要施設において当該目標に沿った電力消費の抑制を行なうことが困難であると想定される場合に、電力系統側において早期に次の対策を講じることが可能となる。そして、電力消費の抑制依頼に対する電力需要施設からの実際の応答内容に基づく判断結果を電力系統側に通知する構成により、電力系統側は、電力需要施設における電力消費の目標達成の可否をより高い確度で知ることができる。
【０２７６】
したがって、本発明の第１の実施の形態に係る電力消費管理装置では、電力需要施設における電力消費を管理するとともに、電力系統側において電力需給の管理を良好に行なうことができる。
【０２７７】
次に、本発明の他の実施の形態について図面を用いて説明する。なお、図中同一または相当部分には同一符号を付してその説明は繰り返さない。
【０２７８】
＜第２の実施の形態＞
本実施の形態は、第１の実施の形態に係る電力消費管理システムと比べて系統側管理装置１５１から電力消費管理装置１０１へ通知される情報を追加した電力消費管理システムに関する。以下で説明する内容以外は第１の実施の形態に係る電力消費管理システムと同様である。
【０２７９】
図１６は、本発明の第２の実施の形態に係る電力消費管理システムにおける電力消費管理装置の構成を示す図である。
【０２８０】
図１６を参照して、電力消費管理装置１０１は、本発明の第１の実施の形態に係る電力消費管理装置と比べて、さらに、インセンティブ情報取得部１８を備える。
【０２８１】
インセンティブ情報取得部１８は、電力系統側たとえば系統側管理装置１５１から電力消費の抑制についての価値を示すインセンティブ情報を取得し、取得したインセンティブ情報をプレ判断部１３および判断部１７へ出力する。
【０２８２】
インセンティブ情報は、各電力需要施設における電力消費の抑制を促進するための情報である。具体的には、たとえば、インセンティブ情報は、節電期間における需要家装置２０２の予測消費電力量たとえば前述のベースラインからの消費電力の抑制量と需要家に与えられる節電の対価との対応関係を示す情報である。あるいは、インセンティブ情報は、たとえば、節電期間における値上げされた特別な電気料金の情報である。
【０２８３】
プレ判断部１３は、たとえば、インセンティブ情報取得部１８から受けたインセンティブ情報に基づいて、電力需要施設における目標の達成に関するプレ判断を行い、判断結果を示すプレ判断情報を応答部１５へ出力する。
【０２８４】
判断部１７は、たとえば、インセンティブ情報取得部１８から受けたインセンティブ情報に基づいて、電力需要施設における目標の達成に関する判断を行い、判断結果を示す判断情報を応答部１５へ出力する。
【０２８５】
図１７は、本発明の第２の実施の形態に係る電力消費管理システムにおける系統側管理装置の構成を示す図である。
【０２８６】
図１７を参照して、系統側管理装置１５１は、本発明の第１の実施の形態に係る系統側管理装置と比べて、さらに、インセンティブ情報取得部３２を備える。
【０２８７】
インセンティブ情報取得部３２は、電力消費の抑制についての価値を示すインセンティブ情報を作成し、作成したインセンティブ情報を情報処理部３３へ出力する。
【０２８８】
情報処理部３３は、電力管理情報取得部３１から受けた目標情報、およびインセンティブ情報取得部３２から受けたインセンティブ情報を通知部３４へ出力する。
【０２８９】
通知部３４は、情報処理部３３から受けた目標情報およびインセンティブ情報を電力消費管理装置１０１に通知する。
【０２９０】
情報処理部３３は、電力需要施設において上記目標が達成できない旨を示す判断情報を判断情報取得部３５から受けた場合、通知部３４によって通知された目標情報およびインセンティブ情報の少なくともいずれか一方の内容を変更し、通知部３４へ出力する。たとえば、情報処理部３３は、電力需要施設において上記目標が達成できない旨を示す判断情報を判断情報取得部３５から受け、かつ予測抑制情報を予測抑制情報取得部３６から受けた場合、当該予測抑制情報に基づいて、通知部３４によって通知された目標情報およびインセンティブ情報の少なくともいずれか一方の内容を変更し、通知部３４へ出力する。
【０２９１】
通知部３４は、情報処理部３３から受けた変更後の情報を電力消費管理装置１０１に通知する。
【０２９２】
なお、インセンティブ情報取得部３２は、インセンティブ情報を作成する構成に限らず、予め登録されたインセンティブ情報を保持する構成であってもよいし、他の装置において作成されたインセンティブ情報を取得する構成であってもよい。
【０２９３】
図１８は、本発明の第２の実施の形態に係る電力消費管理システムにおける電力消費抑制処理のシーケンスの一例を示す図である。
【０２９４】
図１８を参照して、まず、系統側管理装置１５１は、電力需要を予測し、電力需給が逼迫する可能性が高い場合、電力消費の抑制を行なうべきであると判断する（ステップＳ１３１）。
【０２９５】
次に、系統側管理装置１５１は、たとえば、節電期間および当該節電期間における消費電力量の上限値を目標値として示す電力管理情報に加えて、インセンティブ情報を電力消費管理装置１０１へ送信する（ステップＳ１３２）。
【０２９６】
次に、電力消費管理装置１０１は、系統側管理装置１５１から電力管理情報およびインセンティブ情報を受信して、受信した電力管理情報の示す節電目標を達成できるか否かのプレ判断をインセンティブ情報等に基づいて行なう（ステップＳ１３３）。
【０２９７】
具体的には、電力消費管理装置１０１は、たとえば、前述のように配下の各需要家装置２０２において抑制可能な電力量の想定値の総和である想定総抑制量Ｆをインセンティブ情報等に基づいて算出する。たとえば、電力消費管理装置１０１は、インセンティブ情報の示す抑制量に対応する対価の額の大小に応じて各需要家装置２０２における想定抑制量Ｋを算出する。
【０２９８】
より詳細には、電力消費管理装置１０１は、たとえば、１キロワットの電力削減で１００円のインセンティブ料、１０円のインセンティブ料・・・等の複数のインセンティブ料ごとに電力需要施設における抑制量の実績を集計し、インセンティブ情報の示すインセンティブ料と同一または最も近いインセンティブ料に対応する抑制量を想定抑制量Ｋとする。そして、電力消費管理装置１０１は、たとえば、前述のような方法（Ａ１）〜（Ａ３）または（Ｂ）に従い、電力需要施設の選択および想定総抑制量Ｆの算出を行なう。
【０２９９】
そして、電力消費管理装置１０１は、たとえば、配下の各需要家装置２０２に要請すべき総依頼抑制量Ｄと想定総抑制量Ｆとの比較を行なう。
【０３００】
次に、電力消費管理装置１０１は、総依頼抑制量Ｄよりも想定総抑制量Ｆが小さい場合、節電目標を達成できないと判断し、「非許諾」を示すプレ判断情報を系統側管理装置１５１へ送信する（ステップＳ１３４）。この場合、たとえば、電力消費管理装置１０１は、配下の各需要家装置２０２への指示情報の送信を行なわない。なお、電力消費管理装置１０１は、プレ判断情報に加えて、想定総抑制量Ｆを示す予測抑制情報を系統側管理装置１５１へ送信する構成であってもよい。
【０３０１】
次に、系統側管理装置１５１は、電力消費管理装置１０１から「非許諾」を示すプレ判断情報を受信して、需給改善処理を行なう（ステップＳ１３５）。
【０３０２】
たとえば、系統側管理装置１５１は、前回送信した電力管理情報およびインセンティブ情報の少なくともいずれか一方の内容を変更する（ステップＳ１３６）。
【０３０３】
より詳細には、系統側管理装置１５１は、電力管理情報の示す節電目標は前回と同じ内容に設定し、インセンティブ情報は、前回と比べて需要家にとってより有利な内容、たとえば抑制量に対する対価を大きい額に設定する。あるいは、系統側管理装置１５１は、インセンティブ情報は前回と同じ内容に設定し、電力管理情報は、前回と比べて節電目標を低い値たとえば依頼電力量Ａを大きい値に設定する。あるいは、系統側管理装置１５１は、インセンティブ情報を、前回と比べて需要家にとってより有利な内容に設定するとともに、電力管理情報を、前回と比べて節電目標を低い値に設定する。
【０３０４】
ここで、系統側管理装置１５１は、電力消費管理装置１０１からプレ判断情報に加えて予測抑制情報が送信される場合、たとえば、予測抑制情報に基づいて電力管理情報およびインセンティブ情報の少なくともいずれか一方の内容を変更する。
【０３０５】
次に、系統側管理装置１５１は、需給改善処理後の電力管理情報およびインセンティブ情報を電力消費管理装置１０１へ送信する（ステップＳ１３７）。
【０３０６】
なお、系統側管理装置１５１は、電力管理情報およびインセンティブ情報のうち、内容を変更した情報のみを電力消費管理装置１０１へ送信する構成であってもよいし、両情報を電力消費管理装置１０１へ送信する構成であってもよい。
【０３０７】
また、系統側管理装置１５１は、需給改善処理として、このような電力管理情報の変更処理と前述した１または複数の処理とを並行して行なう構成であってもよい。
【０３０８】
次に、電力消費管理装置１０１は、系統側管理装置１５１から需給改善処理後の電力管理情報およびインセンティブ情報を受信して、受信した電力管理情報の示す節電目標を達成できるか否かのプレ判断をインセンティブ情報等に基づいて行なう（ステップＳ１３８）。
【０３０９】
次に、電力消費管理装置１０１は、たとえば系統側管理装置１５１からのインセンティブ情報が需要家にとってより有利な内容に変更されていることから節電目標を達成できると判断し、「許諾」を示すプレ判断情報を系統側管理装置１５１へ送信する（ステップＳ１３９）。
【０３１０】
また、電力消費管理装置１０１は、需給改善処理後の電力管理情報の示す節電目標に基づいて需要家装置２０２ごとの節電目標を示す指示情報を作成し、需給改善処理後のインセンティブ情報とともに配下の各需要家装置２０２へ送信する（ステップＳ１４０およびＳ１４１）。
【０３１１】
次に、各需要家装置２０２は、電力消費管理装置１０１から指示情報およびインセンティブ情報を受信して、受信した指示情報の示す節電目標の受け入れの可否をたとえばインセンティブ情報に基づいて判断する（ステップＳ１４２およびＳ１４３）。
【０３１２】
ステップＳ１４４〜Ｓ１４９の動作は、図９に示すステップＳ９〜Ｓ１４の動作と同様である。
【０３１３】
図１９は、本発明の第２の実施の形態に係る電力消費管理システムにおける電力消費抑制処理のシーケンスの一例を示す図である。
【０３１４】
図１９を参照して、ステップＳ１５１〜Ｓ１５３の動作は、図１８に示すステップＳ１３１〜Ｓ１３３の動作と同様である。
【０３１５】
次に、電力消費管理装置１０１は、想定総抑制量Ｆが総依頼抑制量Ｄ以上である場合、節電目標を達成できると判断し、「許諾」を示すプレ判断情報を系統側管理装置１５１へ送信する（ステップＳ１５４）。
【０３１６】
また、電力消費管理装置１０１は、電力管理情報の示す節電目標に基づいて需要家装置２０２ごとの節電目標を示す指示情報を作成し、インセンティブ情報とともに配下の各需要家装置２０２へ送信する（ステップＳ１５５およびＳ１５６）。
【０３１７】
次に、各需要家装置２０２は、電力消費管理装置１０１から指示情報およびインセンティブ情報を受信して、受信した指示情報の示す節電目標を受け入れるか否かの判断をインセンティブ情報等に基づいて行なう（ステップＳ１５７およびＳ１５８）。
【０３１８】
ここでは、ある需要家装置２０２が、受信した指示情報の示す節電目標を受け入れ可であると判断し、「許諾」を示す応答情報を電力消費管理装置１０１へ送信する（ステップＳ１５９）。一方、他の需要家装置２０２が、受信した指示情報の示す節電目標を受け入れ不可であると判断し、「非許諾」を示す応答情報を電力消費管理装置１０１へ送信する（ステップＳ１６０）。
【０３１９】
次に、電力消費管理装置１０１は、需要家装置２０２から「非許諾」を示す応答情報を受信して、節電目標を達成できないと判断し（ステップＳ１６１）、「非許諾」を示す判断情報を系統側管理装置１５１へ送信する（ステップＳ１６２）。なお、電力消費管理装置１０１は、判断情報に加えて、各需要家装置２０２からの応答情報に基づいて変更した想定総抑制量Ｆを示す予測抑制情報を系統側管理装置１５１へ送信する構成であってもよい。
【０３２０】
次に、系統側管理装置１５１は、電力消費管理装置１０１から「非許諾」を示す判断情報を受信して、需給改善処理を行なう（ステップＳ１６３）。
【０３２１】
たとえば、系統側管理装置１５１は、図１８のステップＳ１３６の動作と同様に、前回送信した電力管理情報およびインセンティブ情報の少なくともいずれか一方の内容を変更する（ステップＳ１６４）。
【０３２２】
次に、系統側管理装置１５１は、需給改善処理後の電力管理情報およびインセンティブ情報を電力消費管理装置１０１へ送信する（ステップＳ１６５）。
【０３２３】
なお、系統側管理装置１５１は、需給改善処理として、このような電力管理情報の変更処理と前述した１または複数の処理とを並行して行なう構成であってもよい。
【０３２４】
次に、電力消費管理装置１０１は、系統側管理装置１５１から需給改善処理後の電力管理情報およびインセンティブ情報を受信して、受信した電力管理情報の示す節電目標を達成できるか否かのプレ判断をインセンティブ情報等に基づいて行なう（ステップＳ１６６）。
【０３２５】
次に、電力消費管理装置１０１は、たとえば系統側管理装置１５１からのインセンティブ情報が需要家にとってより有利な内容に変更されていることから節電目標を達成できると判断し、「許諾」を示すプレ判断情報を系統側管理装置１５１へ送信する（ステップＳ１６７）。
【０３２６】
また、電力消費管理装置１０１は、需給改善処理後の電力管理情報の示す節電目標に基づいて需要家装置２０２ごとの節電目標を示す指示情報を作成し、需給改善処理後のインセンティブ情報とともに配下の各需要家装置２０２へ送信する（ステップＳ１６８およびＳ１６９）。
【０３２７】
ステップＳ１７０〜Ｓ１７７の動作は、図１８に示すステップＳ１４２〜Ｓ１４９の動作と同様である。
【０３２８】
以上のように、本発明の第２の実施の形態に係る電力消費管理装置では、インセンティブ情報取得部１８は、電力系統側から電力消費の抑制についての価値を示すインセンティブ情報を取得する。そして、プレ判断部１３は、インセンティブ情報に基づいてプレ判断を行なう。
【０３２９】
このように、インセンティブ情報を用いる構成により、電力需要施設における電力消費の抑制内容をより正確に予測し、電力消費の目標の達成に関してより正しい判断を行なうことができる。
【０３３０】
また、本発明の第２の実施の形態に係る電力消費管理システムでは、系統側管理装置１５１は、電力消費の目標を示す目標情報および電力消費の抑制についての価値を示すインセンティブ情報を電力消費管理装置１０１へ送信する。電力消費管理装置１０１は、系統側管理装置１５１から受信したインセンティブ情報に基づいて、電力需要施設における上記目標の達成に関する判断を行い、上記目標が達成できないと判断した場合、上記目標が達成できない旨を示す判断情報を系統側管理装置１５１へ送信する。そして、系統側管理装置１５１は、電力消費管理装置１０１から判断情報を受信して、送信した目標情報およびインセンティブ情報の少なくともいずれか一方の内容を変更し、変更後の情報を電力消費管理装置１０１へ送信する。
【０３３１】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、インセンティブ情報を用いる構成により、電力需要施設における電力消費の抑制内容をより正確に予測し、電力消費の目標の達成に関してより正しい判断を行なうことができる。また、上記判断結果から目標情報の内容を変更して電力消費管理装置１０１に通知する構成により、電力需要施設において受け入れ可能な電力消費の目標を設定し、電力消費の抑制のためのリソースを早期に確保し、電力消費管理システム３０１における節電目標の達成のための準備を完了することができる。また、上記判断結果からインセンティブ情報の内容を変更して電力消費管理装置１０１に通知する構成により、電力系統側において、発電機および蓄電池等による電力系統側の対策と、インセンティブの変更を含む電力消費の抑制依頼による電力需要側の対策とを、経済的に最適となるバランスを考慮して決定することができる。
【０３３２】
したがって、本発明の第２の実施の形態に係る電力消費管理システムでは、電力需要施設における電力消費を管理するとともに、電力系統側において電力需給の管理を良好に行なうことができる。
【０３３３】
また、本発明の第２の実施の形態に係る電力消費管理システムでは、電力消費管理装置１０１は、上記目標に対する電力需要施設における電力消費の抑制を予測した内容を示す予測抑制情報、および判断情報を系統側管理装置１５１へ送信する。そして、系統側管理装置１５１は、電力消費管理装置１０１から判断情報および予測抑制情報を受信して、予測抑制情報に基づいて、送信した目標情報およびインセンティブ情報の少なくともいずれか一方の内容を変更する。
【０３３４】
このように、上記判断結果と合わせて電力需要施設において想定される電力消費の抑制内容を電力系統側に通知する構成により、電力系統側は、目標情報またはインセンティブ情報をより適切な内容に変更することができる。
【０３３５】
また、本発明の第２の実施の形態に係る系統側管理装置では、電力管理情報取得部３１は、電力消費の目標を示す目標情報を取得する。インセンティブ情報取得部３２は、電力消費の抑制についての価値を示すインセンティブ情報を取得する。通知部３４は、目標情報およびインセンティブ情報を電力消費管理装置１０１に通知する。判断情報取得部３５は、電力需要施設における上記目標の達成に関する判断の結果を示す判断情報を電力消費管理装置１０１から取得する。情報処理部３３は、電力需要施設において上記目標が達成できない旨を示す判断情報が取得された場合、通知部３４によって通知された目標情報およびインセンティブ情報の少なくともいずれか一方の内容を変更する。そして、通知部３４は、情報処理部３３によって変更された情報を電力消費管理装置１０１に通知する。
【０３３６】
このように、電力消費の目標の達成に関する判断結果を電力系統側に通知する構成により、電力系統側は、電力需要施設において当該目標に沿った電力消費の抑制を行なうことが困難であることを認識し、たとえば電力需給の逼迫に対して新たな対策を講じることができる。また、インセンティブ情報を用いる構成により、電力需要施設における電力消費の抑制内容をより正確に予測し、電力消費の目標の達成に関してより正しい判断を行なうことができる。また、上記判断結果から目標情報の内容を変更して電力消費管理装置１０１に通知する構成により、電力需要施設において受け入れ可能な電力消費の目標を設定し、電力消費の抑制のためのリソースを早期に確保し、電力消費管理システム３０１における節電目標の達成のための準備を完了することができる。また、上記判断結果からインセンティブ情報の内容を変更して電力消費管理装置１０１に通知する構成により、電力系統側において、発電機および蓄電池等による電力系統側の対策と、インセンティブの変更を含む電力消費の抑制依頼による電力需要側の対策とを、経済的に最適となるバランスを考慮して決定することができる。
【０３３７】
したがって、本発明の第２の実施の形態に係る系統側管理装置では、電力需要施設における電力消費を管理するとともに、電力系統側において電力需給の管理を良好に行なうことができる。
【０３３８】
また、本発明の第２の実施の形態に係る系統側管理装置では、予測抑制情報取得部３６は、上記目標に対する電力需要施設における電力消費の抑制を予測した内容を示す予測抑制情報を取得する。そして、情報処理部３３は、上記目標が達成できない旨を示す判断情報、および予測抑制情報が取得された場合、当該予測抑制情報に基づいて、通知部３４によって通知された目標情報およびインセンティブ情報の少なくともいずれか一方の内容を変更する。
【０３３９】
このように、上記判断結果と合わせて電力需要施設において想定される電力消費の抑制内容を電力系統側に通知する構成により、電力系統側は、目標情報またはインセンティブ情報をより適切な内容に変更することができる。
【０３４０】
その他の構成および動作は第１の実施の形態に係る電力消費管理システムと同様であるため、ここでは詳細な説明を繰り返さない。
【０３４１】
次に、本発明の他の実施の形態について図面を用いて説明する。なお、図中同一または相当部分には同一符号を付してその説明は繰り返さない。
【０３４２】
＜第３の実施の形態＞
本実施の形態は、第１の実施の形態に係る電力消費管理システムと比べて期限管理を行なう電力消費管理システムに関する。以下で説明する内容以外は第１の実施の形態に係る電力消費管理システムと同様である。
【０３４３】
図２０は、本発明の第３の実施の形態に係る電力消費管理システムにおける電力消費管理装置の構成を示す図である。
【０３４４】
図２０を参照して、電力消費管理装置１０１は、本発明の第１の実施の形態に係る電力消費管理装置と比べて、さらに、期限管理部１９を備える。
【０３４５】
期限管理部１９は、目標情報に関する期限の徒過を判断し、判断結果を示す期限判断情報をプレ判断部１３および判断部１７へ出力する。
【０３４６】
プレ判断部１３および判断部１７は、期限管理部１９から期限を徒過した旨を示す期限判断情報を受けた場合、目標情報の示す目標が達成できないと判断する。
【０３４７】
判断部１７は、応答情報取得部１６から受けた応答情報に基づいて、電力需要施設における目標の達成に関する判断を行なう。判断部１７は、応答情報取得部１６が応答情報を上記期限の到来前に取得できない場合、上記目標が達成できないと判断する。
【０３４８】
たとえば、系統側管理装置１５１から通知される目標情報は、目標の対象期間すなわち目標を達成すべき期間を含む。
【０３４９】
期限管理部１９は、たとえば、目標情報の示す対象期間の開始から所定時間前の期限の徒過を判断する。
【０３５０】
図２１は、本発明の第３の実施の形態に係る電力消費管理システムにおける系統側管理装置の構成を示す図である。
【０３５１】
図２１を参照して、系統側管理装置１５１は、本発明の第１の実施の形態に係る系統側管理装置と比べて、予測抑制情報取得部３６の代わりに期限情報取得部３７を備える。
【０３５２】
期限情報取得部３７は、目標情報に関する期限を示す期限情報を作成し、作成した期限情報を情報処理部３３へ出力する。
【０３５３】
情報処理部３３は、期限情報取得部３７から受けた期限情報を通知部３４へ出力する。
【０３５４】
通知部３４は、情報処理部３３から受けた目標情報および期限情報取得部３７から受けた期限情報を電力消費管理装置１０１に通知する。
【０３５５】
なお、期限情報取得部３７は、期限情報を作成する構成に限らず、予め登録された期限情報を保持する構成であってもよいし、他の装置において作成された期限情報を取得する構成であってもよい。
【０３５６】
図２２は、本発明の第３の実施の形態に係る電力消費管理システムにおける電力消費抑制処理のシーケンスの一例を示す図である。
【０３５７】
図２２を参照して、まず、系統側管理装置１５１は、電力需要を予測し、電力需給が逼迫する可能性が高い場合、電力消費の抑制を行なうべきであると判断する（ステップＳ１８１）。
【０３５８】
次に、系統側管理装置１５１は、たとえば、節電期間および当該節電期間における消費電力量の上限値を目標値として示す電力管理情報に加えて、期限情報たとえば応答期限情報を電力消費管理装置１０１へ送信する（ステップＳ１８２）。応答期限情報は、系統側管理装置１５１に対する応答期限を示し、たとえば、上記節電期間の開始から所定時間前、または具体的な日時の情報である。
【０３５９】
次に、電力消費管理装置１０１は、系統側管理装置１５１から応答期限情報を受信して、タイマの開始等を行なうことにより期限管理を開始する（ステップＳ１８３）。
【０３６０】
また、電力消費管理装置１０１は、系統側管理装置１５１から電力管理情報を受信して、受信した電力管理情報の示す節電目標を達成できるか否かのプレ判断を行なう（ステップＳ１８４）。
【０３６１】
次に、電力消費管理装置１０１は、節電目標を達成できると判断し、「許諾」を示すプレ判断情報を系統側管理装置１５１へ送信する（ステップＳ１８５）。
【０３６２】
また、電力消費管理装置１０１は、電力管理情報の示す節電目標に基づいて需要家装置２０２ごとの節電目標を示す指示情報を作成し、作成した指示情報、および応答期限情報を配下の各需要家装置２０２へ送信する（ステップＳ１８６およびＳ１８７）。なお、電力消費管理装置１０１は、系統側管理装置１５１から受信した応答期限情報と同じ内容の応答期限情報を需要家装置２０２へ送信してもよいし、系統側管理装置１５１から受信した応答期限情報とは異なる内容、たとえば応答期限を短くした内容の応答期限情報を需要家装置２０２へ送信してもよい。
【０３６３】
次に、各需要家装置２０２は、電力消費管理装置１０１から指示情報および応答期限情報を受信して、受信した指示情報の示す節電目標を受け入れるか否かの判断を行なう（ステップＳ１８８およびＳ１８９）。ここで、節電目標の受け入れの可否を需要家が判断する場合、需要家装置２０２は、たとえば応答期限情報の示す期限をユーザに提示する。
【０３６４】
ここでは、ある需要家装置２０２が、受信した指示情報の示す節電目標を受け入れ可であると判断し、「許諾」を示す応答情報を電力消費管理装置１０１へ送信する一方で（ステップＳ１９０）、他の需要家装置２０２は、何らかの理由により応答情報を電力消費管理装置１０１へ送信しない。
【０３６５】
次に、電力消費管理装置１０１は、タイマの満了等により応答期限情報の示す期限の到来を認識する（ステップＳ１９１）。
【０３６６】
次に、電力消費管理装置１０１は、期限の到来までに応答情報が到着していない需要家装置２０２が存在することから、節電目標を達成できないと判断し（ステップＳ１９２）、「非許諾」を示す判断情報を系統側管理装置１５１へ送信する（ステップＳ１９３）。
【０３６７】
次に、系統側管理装置１５１は、需要家装置２０２から「非許諾」を示す判断情報を受信して、需給改善処理を行なう（ステップＳ１９４）。
【０３６８】
なお、電力消費管理システム３０１は、系統側管理装置１５１から電力消費管理装置１０１へ応答期限情報が送信される構成に限らず、電力消費管理装置１０１が応答期限情報を予め保持している構成であってもよい。
【０３６９】
また、応答期限情報の示す期限は、節電期間の開始を基準とする内容に限らず、たとえば電力消費管理装置１０１が指示情報を需要家装置２０２へ送信するタイミングを基準とする内容であってもよい。
【０３７０】
また、電力消費管理装置１０１は、応答期限情報を各需要家装置２０２へ送信しない構成であってもよい。
【０３７１】
図２３は、本発明の第３の実施の形態に係る電力消費管理システムにおける電力消費抑制処理のシーケンスの一例を示す図である。
【０３７２】
図２３を参照して、ステップＳ２０１〜Ｓ２０２の動作は、図９に示すステップＳ１〜Ｓ２の動作と同様である。
【０３７３】
電力消費管理装置１０１は、受付期限情報を保持する。受付期限情報は、系統側管理装置１５１からの電力管理情報に対する受け付け期限を示し、たとえば、設定済みの節電イベントの節電期間の開始から所定時間前を示す情報である。
【０３７４】
次に、電力消費管理装置１０１は、系統側管理装置１５１から電力管理情報を受信して、受付期限情報に基づいて、タイマの開始等を行なうことにより期限管理を開始する（ステップＳ２０３）。
【０３７５】
ステップＳ２０４〜Ｓ２１３の動作は、図９に示すステップＳ３〜Ｓ１２の動作と同様である。
【０３７６】
次に、電力消費管理装置１０１は、タイマの満了等により受付期限情報の示す期限の到来を認識する（ステップＳ２１４）。
【０３７７】
次に、系統側管理装置１５１は、電力需要の変化を予測し、電力消費の抑制内容を変更すべきであると判断する（ステップＳ２１５）。
【０３７８】
次に、系統側管理装置１５１は、電力需要の変化に基づいて、内容を前回送信時から変更した電力管理情報を作成し（ステップＳ２１６）、変更後の電力管理情報を電力消費管理装置１０１へ送信する（ステップＳ２１７）。変更後の電力管理情報は、設定済みの節電イベントに関する変更、たとえば、電力消費管理装置１０１に対して前回要請した節電イベントのキャンセル、当該節電イベントの節電期間の変更、または消費電力量の上限値の変更等を示す。
【０３７９】
次に、電力消費管理装置１０１は、系統側管理装置１５１から変更後の電力管理情報を受信して、受付期限情報の示す期限が到来済みであることから、当該電力管理情報の受け付け不可を判断し（ステップＳ２１８）、「非許諾」を示す受付判断情報を系統側管理装置１５１へ送信する（ステップＳ２１９）。
【０３８０】
次に、系統側管理装置１５１は、電力消費管理装置１０１から「非許諾」を示す受付判断情報を受信して、たとえばさらなる節電が必要な場合には、たとえば電力管理情報の内容変更以外の需給改善処理を行なう（ステップＳ２２０）。
【０３８１】
また、各需要家装置２０２は、設定済みの節電イベントの節電期間において、節電目標を満たすように、自己が設けられた需要家施設における電気機器の動作を制御する（ステップＳ２２１およびＳ２２２）。
【０３８２】
図２４は、本発明の第３の実施の形態に係る電力消費管理システムにおける電力消費抑制処理のシーケンスの一例を示す図である。
【０３８３】
図２４を参照して、まず、系統側管理装置１５１は、電力需要を予測し、電力需給が逼迫する可能性が高い場合、電力消費の抑制を行なうべきであると判断する（ステップＳ２７１）。
【０３８４】
次に、系統側管理装置１５１は、たとえば、節電期間および当該節電期間における消費電力量の上限値を目標値として示す電力管理情報を電力消費管理装置１０１へ送信する（ステップＳ２７２）。
【０３８５】
次に、電力消費管理装置１０１は、系統側管理装置１５１から電力管理情報を受信して、プレ判断に先立ち、受信した電力管理情報の示す節電期間に基づいて、受付期限情報の示す期限が到来済みであるか否かを判断する。
【０３８６】
電力消費管理装置１０１は、受付期限情報の示す期限が到来済みである、すなわち電力管理情報の示す節電期間まで所定時間未満である場合には（ステップＳ２７３でＮＯ）、当該電力管理情報の受け付け不可を判断し（ステップＳ２７４）、「非許諾」を示す受付判断情報を系統側管理装置１５１へ送信する（ステップＳ２７５）。
【０３８７】
次に、系統側管理装置１５１は、電力消費管理装置１０１から「非許諾」を示す受付判断情報を受信して、たとえばさらなる節電が必要な場合には、たとえば電力管理情報の内容変更以外の需給改善処理を行なう（ステップＳ２７６）。
【０３８８】
一方、電力消費管理装置１０１は、受付期限情報の示す期限が到来していない、すなわち電力管理情報の示す節電期間まで所定時間以上の余裕がある場合には（ステップＳ２７３でＹＥＳ）、受信した電力管理情報の示す節電目標を達成できるか否かのプレ判断を行なう（ステップＳ２７７）。
【０３８９】
図２５は、本発明の第３の実施の形態に係る電力消費管理システムにおける電力消費抑制処理のシーケンスの一例を示す図である。
図２５を参照して、まず、系統側管理装置１５１は、節電イベントの設定後、具体的には電力管理情報を電力消費管理装置１０１へ送信し、電力消費管理装置１０１から「許諾」を示す判断情報を受信した後、電力需要の変化を予測し、電力消費の抑制内容を変更すべきであると判断する（ステップＳ２３１）。
【０３９０】
次に、系統側管理装置１５１は、電力需要の変化に基づいて、内容を前回送信時から変更した電力管理情報を作成し（ステップＳ２３２）、変更後の電力管理情報を電力消費管理装置１０１へ送信する（ステップＳ２３３）。変更後の電力管理情報は、たとえば、電力消費管理装置１０１に対して前回要請した節電イベントのキャンセル、当該節電イベントの節電期間の変更、または消費電力量の上限値の変更等を示す。
【０３９１】
次に、電力消費管理装置１０１は、系統側管理装置１５１から変更後の電力管理情報を受信して、受付期限情報に基づいて、タイマの開始等を行なうことにより期限管理を開始する（ステップＳ２３４）。
【０３９２】
次に、電力消費管理装置１０１は、系統側管理装置１５１から電力管理情報を受信して、受信した電力管理情報の示す節電目標を達成できるか否かのプレ判断を行なう（ステップＳ２３５）。
【０３９３】
次に、電力消費管理装置１０１は、系統側管理装置１５１から受信した電力管理情報が設定済みの節電イベントに関する変更を示していることから、「非許諾」を示すプレ判断情報を系統側管理装置１５１へ送信する（ステップＳ２３６）。
【０３９４】
また、電力消費管理装置１０１は、変更後の電力管理情報に基づいて需要家装置２０２ごとの指示情報を作成し、作成した指示情報、および応答期限情報を配下の各需要家装置２０２へ送信する（ステップＳ２３７およびＳ２３８）。
【０３９５】
次に、各需要家装置２０２は、電力消費管理装置１０１から指示情報および応答期限情報を受信して、受信した指示情報の示す節電目標を受け入れるか否かの判断を行なう（ステップＳ２３９およびＳ２４０）。ここで、節電目標の受け入れの可否を需要家が判断する場合、需要家装置２０２は、たとえば応答期限情報の示す期限をユーザに提示する。
【０３９６】
次に、各需要家装置２０２は、上記節電目標を受け入れ可であると判断すると、「許諾」を示す応答情報を電力消費管理装置１０１へ送信する（ステップＳ２４１およびＳ２４２）。
【０３９７】
次に、電力消費管理装置１０１は、各需要家装置２０２から受信した応答情報に基づいて、系統側管理装置１５１から受信した電力管理情報の示す節電目標を達成できるか否かの判断を行なう。ここでは、電力消費管理装置１０１は、受付期限情報の示す期限が到来する（ステップＳ２４５）前に、各需要家装置２０２から「許諾」を示す応答情報を受信したことから、節電目標を達成できると判断し（ステップＳ２４３）、「許諾」を示す判断情報を系統側管理装置１５１へ送信する（ステップＳ２４４）。
【０３９８】
上記のように、電力消費管理装置１０１は、系統側管理装置１５１から受信した電力管理情報が設定済みの節電イベントに関する変更を示している場合、ひとまず「非許諾」を示す応答情報を系統側管理装置１５１へ送信する（ステップＳ２３６）。このような構成により、各需要家装置２０２において節電イベントのキャンセル等が可能である旨の回答を得るまで系統側管理装置１５１における次の処理を待たせることができるため、たとえば、節電イベントのキャンセルを受け付けなかった需要家装置２０２において電力消費を抑制したにも関わらずインセンティブ料が支払われない、という事態を防ぐことができる。
【０３９９】
図２６は、本発明の第３の実施の形態に係る電力消費管理システムにおける電力消費抑制処理のシーケンスの一例を示す図である。
【０４００】
図２６を参照して、ステップＳ２５１〜Ｓ２６０の動作は、図２５に示すステップＳ２３１〜Ｓ２４０の動作と同様である。
【０４０１】
次に、ある需要家装置２０２が、受信した指示情報の示す節電目標を受け入れ可であると判断し、「許諾」を示す応答情報を電力消費管理装置１０１へ送信する一方で（ステップＳ２６１）、他の需要家装置２０２は、何らかの理由により応答情報を電力消費管理装置１０１へ送信しない。
【０４０２】
次に、電力消費管理装置１０１は、タイマの満了等により応答期限情報の示す期限の到来を認識する（ステップＳ２６２）。
【０４０３】
次に、電力消費管理装置１０１は、期限の到来までに応答情報が到着していない需要家装置２０２が存在することから、節電目標を達成できないと判断し（ステップＳ２６３）、「非許諾」を示す判断情報を系統側管理装置１５１へ送信する（ステップＳ２６４）。
【０４０４】
次に、系統側管理装置１５１は、電力消費管理装置１０１から「非許諾」を示す判断情報を受信して、需給改善処理を行なう（ステップＳ２６５）。
【０４０５】
なお、本発明の第３の実施の形態に係る電力消費管理システムにおいて、本発明の第１の実施の形態に係る電力消費管理システムと同様に、電力消費管理装置１０１が、プレ判断情報または判断情報とともに予測抑制情報を系統側管理装置１５１へ送信する構成であってもよい。
【０４０６】
また、本発明の第３の実施の形態に係る電力消費管理システムにおいて、本発明の第２の実施の形態に係る電力消費管理システムと同様に、系統側管理装置１５１が、目標情報とともにインセンティブ情報を電力消費管理装置１０１へ送信する構成であってもよい。
【０４０７】
以上のように、本発明の第３の実施の形態に係る電力消費管理装置では、電力管理情報取得部１１は、電力系統側から電力消費の目標を示す目標情報を取得する。判断部１７は、電力需要施設における目標の達成に関する判断を行なう。応答部１５は、判断部１７の判断結果を示す判断情報を電力系統側に通知する。期限管理部１９は、目標情報に関する期限の徒過を判断する。そして、判断部１７は、期限を徒過したと期限管理部１９によって判断された場合、目標が達成できないと判断する。
【０４０８】
このように、電力系統側からの目標情報に関する期限の徒過を判断し、当該期限を徒過した場合に、当該目標が達成できないと判断する構成により、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。
【０４０９】
したがって、本発明の第３の実施の形態に係る電力消費管理装置では、電力需要施設における電力消費を管理するとともに、電力系統側において電力需給の管理を良好に行なうことができる。
【０４１０】
また、本発明の第３の実施の形態に係る電力消費管理装置では、目標情報は、目標の対象期間を含む。期限管理部１９は、対象期間の開始から所定時間前の期限の徒過を判断する。
【０４１１】
このような構成により、節電期間よりもある程度前の適切な時期に期限を設定することができる。また、たとえば、設定済みの節電イベントに関する変更を示す電力管理情報を受信した時点において、対象期間に鑑みて電力需要施設において当該変更が困難であると予想される場合に、当該変更の依頼を断ることができるため、余分な通信トラフィックの発生、および電力需要施設における許諾／非許諾の検討のための人手の手間を減らすことができる。
【０４１２】
また、本発明の第３の実施の形態に係る電力消費管理装置では、指示部１２は、目標情報に基づいて、電力需要施設における電力消費に関する指示情報を電力需要施設に通知する。応答情報取得部１６は、指示情報に対する応答情報を電力需要施設から取得する。そして、判断部１７は、応答情報に基づいて判断を行い、応答情報取得部１６が応答情報を期限の到来前に取得できない場合、目標が達成できないと判断する。
【０４１３】
このような構成により、指示情報に対する電力需要施設からの応答が遅れる場合でも、当該応答を待つことなく当該目標の達成不可を判断し、電力需要施設において当該目標に沿った電力消費の抑制を行なうことが困難であることの電力系統側の認識の遅れを防ぐことができる。
【０４１４】
また、本発明の第３の実施の形態に係る電力消費管理システムでは、系統側管理装置１５１は、電力消費の目標を示す目標情報、および目標情報に関する期限を示す期限情報を電力消費管理装置１０１へ送信する。電力消費管理装置１０１は、系統側管理装置１５１から目標情報を受信して、目標情報に基づいて、電力需要施設における電力消費に関する指示情報を電力需要施設へ送信する。電力消費管理装置１０１は、指示情報に対する応答情報を電力需要施設から受信し、電力需要施設における目標の達成に関する判断を応答情報に基づいて行い、判断結果を示す判断情報を系統側管理装置１５１へ送信する。そして、電力消費管理装置１０１は、応答情報の受信前に目標情報に関する期限が到来したと判断した場合、目標が達成できないと判断する。
【０４１５】
このように、電力系統側から電力消費管理装置１０１へ期限情報を通知する構成により、電力消費管理装置１０１において、電力系統側からの目標情報に関する期限の徒過を判断し、当該期限を徒過した場合に、当該目標が達成できないと判断することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。
【０４１６】
したがって、本発明の第３の実施の形態に係る電力消費管理システムでは、電力需要施設における電力消費を管理するとともに、電力系統側において電力需給の管理を良好に行なうことができる。
【０４１７】
また、予測される電力需要の状況に応じて期限情報の示す期限を系統側管理装置１５１において調整することができるため、電力消費管理装置１０１からの判断情報およびプレ判断情報の到着タイミングを適切に設定することができる。
【０４１８】
また、本発明の第３の実施の形態に係る電力消費管理システムでは、系統側管理装置１５１は、電力消費の目標を示す目標情報を電力消費管理装置１０１へ送信する。電力消費管理装置１０１は、系統側管理装置１５１から目標情報を受信して、目標情報に基づいて、電力需要施設における電力消費に関する指示情報、および目標情報に関する期限を示す期限情報を電力需要施設へ送信する。電力消費管理装置１０１は、指示情報に対する応答情報を電力需要施設から受信し、電力需要施設における目標の達成に関する判断を応答情報に基づいて行い、判断結果を示す判断情報を系統側管理装置１５１へ送信する。そして、電力消費管理装置１０１は、応答情報の受信前に目標情報に関する期限が到来したと判断した場合、目標が達成できないと判断する。
【０４１９】
このように、電力消費管理装置１０１から需要家装置２０２へ期限情報を通知する構成により、電力需要施設における電力消費の抑制に関する早期の判断を促すことができるため、電力消費管理装置１０１において、次の処理に必要となる時間をより確実に確保することができ、電力消費の目標の達成に関する判断結果を電力系統側に早期に通知することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。
【０４２０】
したがって、本発明の第３の実施の形態に係る電力消費管理システムでは、電力需要施設における電力消費を管理するとともに、電力系統側において電力需給の管理を良好に行なうことができる。
【０４２１】
また、現在時刻から節電期間までの時間の長短等の状況に応じて期限情報の示す期限を電力消費管理装置１０１において調整することができるため、需要家装置２０２からの応答情報の到着タイミングを適切に設定することができる。
【０４２２】
また、本発明の第３の実施の形態に係る系統側管理装置では、電力管理情報取得部３１は、電力消費の目標を示す目標情報を取得する。期限情報取得部３７は、目標情報に関する期限を示す期限情報を取得する。通知部３４は、目標情報および期限情報を電力消費管理装置１０１に通知する。判断情報取得部３５は、電力需要施設における上記目標の達成に関する判断の結果を示す判断情報を電力消費管理装置１０１から取得する。
【０４２３】
このように、電力系統側から電力消費管理装置１０１へ期限情報を通知する構成により、電力消費管理装置１０１において、電力系統側からの目標情報に関する期限の徒過を判断し、当該期限を徒過した場合に、当該目標が達成できないと判断することができる。これにより、電力需要施設において当該目標に沿った電力消費の抑制を行なうことが困難であることの電力系統側の認識の遅れを防ぎ、たとえば電力需給の逼迫に対して新たな対策を講じるために必要となる時間を確実に確保することができる。
【０４２４】
したがって、本発明の第３の実施の形態に係る系統側管理装置では、電力需要施設における電力消費を管理するとともに、電力系統側において電力需給の管理を良好に行なうことができる。
【０４２５】
また、予測される電力需要の状況に応じて期限情報の示す期限を系統側管理装置１５１において調整することができるため、電力消費管理装置１０１からの判断情報およびプレ判断情報の到着タイミングを適切に設定することができる。
【０４２６】
その他の構成および動作は第１の実施の形態に係る電力消費管理システムと同様であるため、ここでは詳細な説明を繰り返さない。
【０４２７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０４２８】
１１  電力管理情報取得部（目標情報取得部）
１２  指示部
１３  プレ判断部
１４  予測抑制情報取得部
１５  応答部
１６  応答情報取得部
１７  判断部
１８  インセンティブ情報取得部
１９  期限管理部
３１  電力管理情報取得部（目標情報取得部）
３２  インセンティブ情報取得部
３３  情報処理部
３４  通知部
３５  判断情報取得部
３６  予測抑制情報取得部
３７  期限情報取得部
１０１  電力消費管理装置
１５１  系統側管理装置
２０２  需要家装置
３０１  電力消費管理システム
【図１】
2015216759.tif 000003
【図２】
2015216759.tif 000004
【図３】
2015216759.tif 000005
【図４】
2015216759.tif 000006
【図５】
2015216759.tif 000007
【図６】
2015216759.tif 000008
【図７】
2015216759.tif 000009
【図８】
2015216759.tif 000010
【図９】
2015216759.tif 000011
【図１０】
2015216759.tif 000012
【図１１】
2015216759.tif 000013
【図１２】
2015216759.tif 000014
【図１３】
2015216759.tif 000015
【図１４】
2015216759.tif 000016
【図１５】
2015216759.tif 000017
【図１６】
2015216759.tif 000018
【図１７】
2015216759.tif 000019
【図１８】
2015216759.tif 000020
【図１９】
2015216759.tif 000021
【図２０】
2015216759.tif 000022
【図２１】
2015216759.tif 000023
【図２２】
2015216759.tif 000024
【図２３】
2015216759.tif 000025
【図２４】
2015216759.tif 000026
【図２５】
2015216759.tif 000027
【図２６】
2015216759.tif 000028